(57)【要約】開口（５０）を形成する壁（４９）を備える首部（２）と、前記首部（２）と結合できるキャップ手段（３）の開口表示手段（６）と相互作用するように配置される隣接手段とを備える容器手段で、前記隣接手段は、前記壁（４９）から周辺に伸びるリング状突起（５１）と、前記リング状突起（５１）から突出する隣接要素手段（５）とを備える。【選択図】なし
2009524555.tif 000002
【特許請求の範囲】
【請求項１】
開口（５０）を画定する壁（４９）を備える首部（２）、及び前記首部（２）と結合可能なキャップ手段（３）の開口表示手段（６）と相互作用するように配置され、前記壁（４９）から周辺へ伸びるリング状突起（５１）を備える、隣接手段（１０５）を備える首部（２）を備える容器手段であって、前記隣接手段（１０５）は、更に前記リング状突起（５１）から突出する隣接要素手段（５）を備えることを特徴とする容器手段。
【請求項２】
前記隣接要素手段（５）は、前記開口（５０）により形成される平面に対して、傾斜した面手段（６０）を備えることを特徴とする、請求項１に記載の容器手段。
【請求項３】
前記面手段（６０）は前記平面にほぼ垂直であることを特徴とする、請求項２に記載の容器手段。
【請求項４】
前記隣接手段（１０５）は前記開口（５０）により形成される平面とほぼ平行に配置される更なる面手段（７７）を備えることを特徴とする、請求項１〜３のいずれか１項に記載の容器手段。
【請求項５】
前記更なる面手段（７７）は、前記リング状突起（５１）に形成される第１面手段（５４）を備えることを特徴とする請求項４に記載の容器手段。
【請求項６】
前記第１面手段（５４）は、円形リングの形状を有することを特徴とする、請求項５に記載の容器手段。
【請求項７】
前記更なる面手段（７７）は、前記隣接要素手段（５）に形成される第２面手段（５９）を備えることを特徴とする、請求項４〜６のいずれか１項に記載の容器手段。
【請求項８】
前記第１面手段（５４）と前記第２面手段（５９）は、ほぼ同一平面であることを特徴とする、請求項５又は６に付属するような、請求項７に記載の容器手段。
【請求項９】
前記隣接要素手段（５）は、前記長手軸（Ａ）と平行に測定した前記リング状突起（５１）の更なる最大厚さ（Ｔ）にほぼ等しい、前記首部（２）の長手軸（Ａ）と平行に測定した最大厚さ（Ｓ）を有することを特徴とする、請求項１〜８のいずれか１項に記載の容器手段。
【請求項１０】
前記隣接要素手段（５）は、前記リング状突起（５１）からほぼ半径方向に伸びることを特徴とする、請求項１〜９のいずれか１項に記載の容器手段。
【請求項１１】
前記隣接要素手段は複数の分離した隣接要素（５）を備えることを特徴とする、請求項１〜１０のいずれか１項に記載の容器手段。
【請求項１２】
前記複数の隣接要素の２つの連続した隣接要素（５）の間に、空間手段（１７）が画定されることを特徴とする、請求項１１に記載の容器手段。
【請求項１３】
前記開口表示手段（６）の外縁部（１５）に沿って伸び、そして容器手段の首部（２）と結合する隣接手段（５）と相互作用するように配置されるフラップ手段（１６）を備える開口表示手段（６）を備えるキャップ手段であって、前記フラップ手段（１６）は少なくとも１つの第１フラップ（６８）と少なくとも1つの第２フラップ（６９）を備え、前記少なくとも１つの第１フラップ（６８）は１つの部分（１２２）と更なる部分（１２１）を備え、前記外縁部（１５）を横に測定した前記更なる部分（１２１）の寸法（Ｆ´）は前記外縁部（１５）を横に測定した前記部分（１２２）の更なる寸法（Ｑ´）より大きく、前記第２フラップ（６９）は、ほぼ一定の前記外縁部（１５）を横に測定した、また更なる寸法（Ｖ）を備えることを特徴とするキャップ手段。
【請求項１４】
前記また更なる寸法（Ｖ）は前記寸法（Ｆ´）より小さいことを特徴とする、請求項１３に記載のキャップ手段。
【請求項１５】
前記また更なる寸法（Ｖ）は前記更なる寸法（Ｑ´）にほぼ等しいことを特徴とする、請求項１３または１４に記載のキャップ手段。
【請求項１６】
前記少なくとも１つの第１フラップは複数の異なる第１フラップ（６８）を備えることを特徴とする、請求項１３〜１５のいずれか１項に記載のキャップ手段。
【請求項１７】
前記少なくとも１つの第２フラップは複数の異なる第２フラップ（６９）を備えることを特徴とする、請求項１３〜１６のいずれか１項に記載のキャップ手段。
【請求項１８】
前記複数の第２フラップの一対の連続した第２フラップ（６９）の間に、前記複数の第１フラップの第１フラップ（６８）が介在することを特徴とする、請求項１６に付属するような請求項１７に記載のキャップ手段。
【請求項１９】
前記少なくとも１つの第１フラップ（６８）と前記少なくとも１つの第２フラップ（６９）の間に、前記フラップ手段（１６）が転倒することを防止するように配置される、結合要素手段（７１）が介在することを特徴とする、請求項１３〜１８のいずれか１項に記載のキャップ手段。
【請求項２０】
前記結合要素手段（７１）は柔軟な要素を備えることを特徴とする、請求項１９に記載のキャップ手段。
【請求項２１】
前記部分（１２１）は、前記キャップ手段（３）が前記首部（２）から除去される場合、前記開口表示手段（１６）と前記キャップ手段（３）の本体（８）の間に介在する破断可能な橋状手段（１３）に剪断応力を発生させるように配置される活性表面手段（１２６）を備えることを特徴とする、請求項１３〜２０のいずれか１項に記載のキャップ手段。
【請求項２２】
前記活性表面手段（１２６）は前記外縁部（１５）に対して横に配置されることを特徴とする、請求項２１に記載のキャップ手段。
【請求項２３】
前記活性表面手段（１２６）は前記外縁部（１５）に、ほぼ直角に配置されることを特徴とする、請求項２２に記載のキャップ手段。
【請求項２４】
前記更なる部分（１２２）は、前記キャップ手段（３）が前記首部（２）から除去される場合、前記開口表示手段（１６）と前記キャップ手段（３）の本体（８）の間に介在する破断可能な橋状手段（１３）に引張り応力を発生させるように配置される更なる活性表面手段（１２５）を備えることを特徴とする、請求項１３〜２３のいずれか１項に記載のキャップ手段。
【請求項２５】
前記更なる活性表面手段（１２５）は前記外縁部（１５）とほぼ平行に設置されることを特徴とする、請求項２４に記載のキャップ手段。
【請求項２６】
前記少なくとも１つの第２フラップ（６９）は、前記キャップ手段（３）が前記首部（２）から除去される場合、前記開口表示手段（１６）と前記キャップ手段（３）の本体（８）の間に介在する破断可能な橋状手段（１３）に引張り応力を発生させるように配置される、また更なる活性表面手段（７０）を備えることを特徴とする、請求項１３〜２５のいずれか１項に記載のキャップ手段。
【請求項２７】
前記また更なる活性表面手段（７０）は前記外縁部（１５）にほぼ平行に配置されることを特徴とする、請求項２６に記載のキャップ手段。
【請求項２８】
開口（５０）を画定する壁（４９）を備える首部（２）、前記壁（４９）から周辺に伸びるリング状突起（５１）と前記リング状突起（５１）から突出する隣接要素手段（５）とを備える隣接手段（１０５）、を備える容器手段であって、前記容器手段は開口表示手段（６）を備えるキャップ手段（３）を備え、前記開口表示手段（６）は、前記隣接要素手段（５）の面手段（６０）と相互作用するように配置される活性表面手段（１２６；２２６；２６）、及び前記隣接手段（１０５）の更なる面手段（７７）と相互作用するように配置される更なる活性表面手段（１２５；２２５；７０；２５；２３）を備えることを特徴とする容器手段。
【請求項２９】
前記隣接要素手段（５）は前記面手段（６０）を備えることを特徴とする、請求項２８に記載の容器手段。
【請求項３０】
前記面手段（６０）は前記開口（５０）により形成される平面に対して傾斜することを特徴とする、請求項２８又は２９に記載の容器手段。
【請求項３１】
前記面手段（６０）は前記面にほぼ垂直であることを特徴とする、請求項３０に記載の容器手段。
【請求項３２】
前記更なる面手段（７７）は前記開口（５０）により形成される平面にほぼ平行に設置されることを特徴とする、請求項２８〜３１のいずれか１項に記載の容器手段。
【請求項３３】
前記更なる面手段（７７）は前記リング状突起（５１）に得られる第１面手段（５４）を備えることを特徴とする、請求項２８〜３２のいずれか１項に記載の容器手段。
【請求項３４】
前記第１面手段（５４）は円形リングの形状を有することを特徴とする、請求項３３に記載の容器手段。
【請求項３５】
前記更なる面手段（７７）は前記隣接要素手段（５）に得られる第２面手段（５９）を備えることを特徴とする、請求項２８〜３４のいずれか１項に記載の容器手段。
【請求項３６】
前記第１面手段（５４）と前記第２面手段（５９）はほぼ同一平面であることを特徴とする、請求項３３または３４に付属するような、請求項３５に記載の容器手段。
【請求項３７】
前記隣接要素手段（５）は、前記長手軸（Ａ）に平行に測定した前記リング状突起（５１）の更なる最大厚さ（Ｔ）にほぼ等しい、前記首部（２）の長手軸（Ａ）に平行に測定した最大厚さ（Ｓ）を有することを特徴とする、請求項２８〜３６のいずれか１項に記載の容器手段。
【請求項３８】
前記隣接要素手段（５）は前記リング状突起（５１）からほぼ半径方向に伸びることを特徴とする、請求項２８〜３７のいずれか１項に記載の容器手段。
【請求項３９】
前記隣接要素手段は複数の異なる隣接要素（５）を備えることを特徴とする、請求項２８〜３８のいずれか１項に記載の容器手段。
【請求項４０】
前記複数の隣接要素の２つの連続する隣接要素（５）の間に、空間手段（１７）が画定されることを特徴とする、請求項３９に記載の容器手段。
【請求項４１】
前記活性表面手段（１２６；２２６；２６）と前記更なる活性表面手段（１２５；２２５；７０；２５；２３）は前記開口表示手段（６）のフラップ手段（１６）に備えられることを特徴とする、請求項２８〜４０のいずれか１項に記載の容器手段。
【請求項４２】
前記フラップ手段（１６）は前記開口表示手段（６）の外縁部（１５）に沿って伸び、前記フラップ手段（１６）は、少なくとも１つの部分（１２２；６９；７５；７９；２０；２２；２８）と少なくとも１つの更なる部分（１２１；７６；７８；２１）を備え、前記外縁部（１５）を横に測定した前記少なくとも１つの更なる部分（１２１；７６；７８；２１）の寸法（Ｆ´；Ｈ２；Ｆ１；Ｆ）は前記外縁部（１５）を横に測定した前記少なくとも１つの部分（１２２；６９；７５；７９；２０；２２；２８）の対応する更なる寸法（Q´；V；H１；Q１；C；Q；C１）より大きいことを特徴とする、請求項４１に記載の容器手段。
【請求項４３】
前記少なくとも１つの部分（１２２；６９；７５；７９；２０；２２；２８）は前記更なる活性表面手段（１２５；２２５；７０；２５；２３）を備えることを特徴とする、請求項４２に記載の容器手段。
【請求項４４】
前記少なくとも１つの更なる部分（１２１；７６；７８；２１）は前記活性表面手段（１２６；２２６；２６）を備えることを特徴とする、請求項４２又は４３に記載の容器手段。
【請求項４５】
前記フラップ手段（１６）は、前記開口表示手段（６）の外縁部（１５）に沿って伸びる、少なくとも１つの第１フラップ（６８）と少なくとも１つの第２フラップ（６９）を備え、前記少なくとも１つの第１フラップ（６８）は部分（１２２）と更なる部分（１２１）を備え、前記外縁部（１５）を横に測定した前記更なる部分（１２１）の寸法（F´）は、前記外縁部（１５）を横に測定した、前記部分（１２２）の更なる寸法（Q´）より大きく、前記第２フラップ（６９）は前記外縁部（１５）を横に測定した、ほぼ一定のまた更なる寸法（Ｖ）を有することを特徴とする請求項４１に記載の容器手段。
【請求項４６】
前記また更なる寸法（Ｖ）は前記寸法（Ｆ´）より小さいことを特徴とする、請求項４５に記載の容器手段。
【請求項４７】
前記また更なる寸法（Ｖ）は前記更なる寸法（Ｑ´）にほぼ等しいことを特徴とする、請求項４５又は４６に記載の容器手段。
【請求項４８】
前記部分（１２２）は前記更なる活性表面手段の第１活性表面手段（１２５）を備えることを特徴とする、請求項４５〜４７のいずれか１項に記載の容器手段。
【請求項４９】
前記更なる部分（１２１）は前記活性表面手段（１２６）を備えることを特徴とする、請求項４５〜４８のいずれか１項に記載の容器手段。
【請求項５０】
前記少なくとも１つの第２フラップ（６９）は前記更なる活性表面手段の第２活性表面手段（７０）を備えることを特徴とする、請求項４５〜４９のいずれか１項に記載の容器手段。
【請求項５１】
前記少なくとも１つの第１フラップは複数の分離した第１フラップ（６８）を備えることを特徴とする、請求項４５〜５０のいずれか１項に記載の容器手段。
【請求項５２】
前記少なくとも１つの第２フラップは複数の分離した第２フラップ（６９）を備えることを特徴とする、請求項４５〜５１のいずれか１項に記載のキャップ手段。
【請求項５３】
前記複数の第２フラップの一対の連続した第２フラップ（６９）の間に、前記複数の第１フラップの第１フラップ（６８）が介在することを特徴とする、請求項５１に付属するような、請求項５２に記載の容器手段。
【請求項５４】
前記少なくとも１つの第１フラップ（６８）と前記少なくとも１つの第２フラップ（６９）の間に、前記フラップ手段（１６）が転倒することを防止するように配置される結合要素手段（７１）が備えられることを特徴とする、請求項４５〜５３のいずれか１項に記載の容器手段。
【請求項５５】
前記結合要素手段（７１）は柔軟な要素を備えることを特徴とする、請求項５４に記載の容器手段。
【請求項５６】
前記フラップ手段（１６）は第１フラップ手段（７８）と第２フラップ手段（７９）を備え、前記第１フラップ手段（７８）と前記第２フラップ手段（７９）は互いに異なり、前記第１フラップ手段（７８）は外縁部（１５）から横に測定して、ほぼ一定の寸法（Ｆ１）を有し、そして前記第２フラップ手段（７９）は前記外縁部（１５）を横に測定して、ほぼ一定の更なる寸法（Ｑ１）を有し、前記寸法（Ｆ１）は前記更なる寸法（Ｑ１）より大きいことを特徴とする、請求項４１に記載の容器手段。
【請求項５７】
前記第１フラップ手段（７８）は前記活性表面手段（２２６）を備えることを特徴とする、請求項５６に記載の容器手段。
【請求項５８】
前記第２フラップ手段（７９）は前記更なる活性表面手段（２２５）を備えることを特徴とする、請求項５６または５７に記載の容器手段。
【請求項５９】
前記第１フラップ手段は複数の異なる第１フラップ（７８）を備えることを特徴とする、請求項５６〜５８のいずれか１項に記載の容器手段。
【請求項６０】
前記第２フラップ手段は複数の異なる第２フラップ（７９）を備えることを特徴とする、請求項５６〜５９のいずれか１項に記載の容器手段。
【請求項６１】
前記複数の第２フラップの一対の連続する第２フラップ（７９）の間に、前記複数の第１フラップの第１フラップ（７８）が介在することを特徴とする、請求項５９に付属するような、請求項６０に記載の容器手段。
【請求項６２】
前記少なくとも１つの第１フラップ（７８）と前記少なくとも１つの第２フラップ（７９）の間に、前記フラップ手段（１６）が転倒することを防止するように配置される結合要素手段（７１）が介在することを特徴とする、請求項５６〜６１のいずれか１項に記載の容器手段。
【請求項６３】
前記結合要素手段（７１）は柔軟要素を備えることを特徴とする、請求項６２に記載の容器手段。
【請求項６４】
前記フラップ手段（１６）は複数の異なるフラップ（２００；１００）を備えることを特徴とする、請求項４１〜５６のいずれか１項に記載の容器手段。
【請求項６５】
前記フラップ手段（１６）は連続したフラップ（７４）を備えることを特徴とする、請求項４１〜４４のいずれか１項に記載の容器手段。
【請求項６６】
前記活性表面手段（１２６；２２６；２６）は、前記キャップ手段（３）が前記首部（２）から除去される場合、前記開口表示手段（１６）と前記キャップ手段（３）の本体（８）の間に挿入される破断可能な橋状手段（１３）に剪断応力を発生させることを特徴とする、請求項２８〜６５のいずれか１項に記載の容器手段。
【請求項６７】
前記更なる活性表面手段（１２５；２２５；７０；２５；２３）は、前記キャップ手段（３）が前記首部（２）から除去される場合、前記開口表示手段（１６）と前記キャップ手段（３）の本体（８）の間に挿入される破断可能な橋状手段（１３）に引張り応力を発生させることを特徴とする、請求項２８〜６６のいずれか１項に記載の容器手段。
【請求項６８】
容器手段首部（２）と結合する隣接手段（１０５）と相互作用するように配置されるフラップ手段（１６）が突出する外縁部（１５）を備える開口表示手段（６）を備えるキャップ手段であって、前部フラップ手段（１６）は第１フラップ手段（７８）と第２フラップ手段（７９）を備え、前記第１フラップ手段（７８）と前記第２フラップ手段（７９）は互いに異なり、前記第１フラップ手段（７８）は前記外縁部（１５）を横に測定して、ほぼ一定の寸法（Ｆ１）を有し、前記第２フラップ手段（７９）は、前記外縁部（１５）から横に測定して、ほぼ一定の更なる寸法（Ｑ１）を有し、前記寸法（Ｆ１）は前記更なる寸法（Ｑ１）より大きいことを特徴とするキャップ手段。
【請求項６９】
前記第１フラップ手段は複数の異なる第１フラップ（７８）を備えることを特徴とする、請求項６８に記載のキャップ手段。
【請求項７０】
前記第２フラップ手段は複数の異なる第２フラップ（７９）を備えることを特徴とする、請求項６８又は６９に記載のキャップ手段。
【請求項７１】
前記複数の第１フラップの一対の連続した第１フラップ（７８）の間に、前記複数の第２フラップの第２フラップ（７９）が介在することを特徴とする、請求項６９に付属するような請求項７０に記載のキャップ手段。
【請求項７２】
前記第１フラップ手段（７８）と前記第２フラップ手段（７９）の間に、前記フラップ手段（１６）が転倒することを防止するように配置される結合要素手段（７１）が介在することを特徴とする、請求項６８〜７１のいずれか１項に記載のキャップ手段。
【請求項７３】
前記結合要素手段（７１）は柔軟要素を備えることを特徴とする、請求項７２に記載のキャップ手段。
【請求項７４】
前記第１フラップ手段（７８）は、前記キャップ手段（３）が前記首部（２）から除去される場合、前記開口表示手段（１６）と前記キャップ手段（３）の本体（８）間に介在する破断可能な橋状手段（１３）に剪断応力を発生させるように配置される活性表面手段（２２６）を備えることを特徴とする、請求項６８〜７３のいずれか１項に記載のキャップ手段。
【請求項７５】
前記活性表面手段（２２６）は前記外縁部（１５）に横に配置されることを特徴とする、請求項７４に記載のキャップ手段。
【請求項７６】
前記活性表面手段（２２６）は前記外縁部（１５）にほぼ垂直に設置されることを特徴とする、請求項７５に記載のキャップ手段。
【請求項７７】
前記第２フラップ手段（７９）は、前記キャップ手段（３）が前記首部（２）から除去される場合、前記開口表示手段（１６）と前記キャップ手段（３）の本体（８）の間に挿入される破断可能な橋状手段（１３）に引張り応力を発生させるように配置される、更なる活性表面手段（２２５）を備えることを特徴とする、請求項６８〜７６のいずれか１項に記載のキャップ手段。
【請求項７８】
前記更なる活性表面手段（２２５）は前記外縁部（１５）にほぼ平行に設置されることを特徴とする、請求項７７に記載のキャップ手段。
【請求項７９】
前記開口表示手段（６）の外縁部（１１５）の一部に沿って伸び、容器手段の首部（２）と結合する隣接手段（５）と相互作用するように配置されるフラップ手段（１６）を備える開口表示手段（６）を備えるキャップ手段であって、前記フラップ手段（１６）は、前記外縁部（１５）に沿って互いに平行な、少なくとも１つの第１部分（２０）、少なくとも１つの第２部分（２１）、及び少なくとも１つの第３部分（２２）を備え、前記外縁部（１５）を横に測定した前記少なくとも１つの第２部分（２１）の寸法（Ｆ）は、前記外縁部（１５）を横に測定した前記少なくとも１つの第１部分（２０）の対応する更なる寸法（Ｃ）より、そして前記外縁部（１５）を横に測定した前記少なくとも１つの第３部分（２２）の対応するまた更なる寸法（Ｑ）より大きいキャップ手段。
【請求項８０】
前記少なくとも１つの第２部分（２１）は、前記少なくとも１つの第１部分（２０）と前記少なくとも１つの第３部分（２２）の間に介在することを特徴とする、請求項７９に記載のキャップ手段。
【請求項８１】
前記少なくとも１つの第１部分（２０）と前記少なくとも１つの第３部分（２２）は、前記隣接手段（５）の一対の連続した隣接要素（５ａ、５ｂ）と同時に相互作用するような形状であることを特徴とする、請求項８０に記載のキャップ手段。
【請求項８２】
前記少なくとも１つの第３部分（２２）は、前記隣接手段（５）に対して、前記少なくとも１つの第３部分（２２）を設置するように配置される設置手段（２９）を備えることを特徴とする、請求項７９〜８１のいずれか１項に記載のキャップ手段。
【請求項８３】
前記設置手段は、前記少なくとも１つの第３部分（２２）に前記首部（２）に得られる取出し口から最も遠い前記隣接手段（５）領域（２４）と相互作用させるように配置される傾斜部（２９）を備えることを特徴とする、請求項８２に記載のキャップ手段。
【請求項８４】
前記傾斜部（２９）は前記領域（２４）と相互作用するように配置される、前記少なくとも１つの第３部分（２２）の活性表面（２５）上に得られることを特徴とする、請求項８３に記載のキャップ手段。
【請求項８５】
前記傾斜部（２９）は、前記キャップ手段（３）が前記首部（２）からねじ取られる意図した移動方向（Ｈ）に、前記少なくとも１つの第２部分（２１）に先行することを特徴とする、請求項８３又は８４に記載のキャップ手段。
【請求項８６】
前記少なくとも１つの第２部分（２１）は、前記少なくとも１つの第１部分（２０）の更なる厚さと異なり、そして前記少なくとも１つの第３部分（２２）のまた更なる厚さと異なる厚さを有することを特徴とする、請求項７９〜８５のいずれか１項に記載のキャップ手段。
【請求項８７】
前記厚さは、前記外縁部（１５）が離れるほど増加することを特徴とする請求項８６に記載のキャップ手段。
【請求項８８】
前記厚さは前記更なる厚さより、そして前記または更なる厚さより大きいことを特徴とする、請求項８６又は８７に記載のキャップ手段。
【請求項８９】
前記更なる厚さはほぼ一定であることを特徴とする、請求項８６〜８８のいずれか１項に記載のキャップ手段。
【請求項９０】
前記また更なる厚さはほぼ一定であることを特徴とする、請求項８６〜８９のいずれか１項に記載のキャップ手段。
【請求項９１】
前記少なくとも１つの第２部分（２１）は、前記少なくとも１つの第１部分（２０）と前記少なくとも１つの第３部分（２２）に対して一側面から突出するような形状であることを特徴とする、請求項８６〜９０のいずれか１項に記載のキャップ手段。
【請求項９２】
前記少なくとも        １つの第２部分（２１）は、前記少なくとも１つの第１部分（２０）と前記少なくとも１つの第３部分（２２）に対して、前記側面と反対の更なる側面から、突出するような形状であることを特徴とする、請求項９１に記載のキャップ手段。
【請求項９３】
前記フラップ手段（１６）は、前記キャップ手段（３）が前記首部（２）上にねじ込まれる意図した回転方向（Ｎ）に、前記隣接手段（５）上での前記フラップ手段（１６）の滑動を容易にするように配置される密閉促進手段（３２、３４）を備えることを特徴とする、請求項７９〜９２のいずれか１項に記載のキャップ手段。
【請求項９４】
前記密閉促進手段（３２、３４）は前記少なくとも１つの第２部分（２１）上に得られる更なる傾斜部分（３２）を備えることを特徴とする、請求項９３に記載のキャップ手段。
【請求項９５】
前記更なる傾斜部分（３２）は前記外縁部（１５）に横に設置される前記少なくとも１つの第２部分（２１）の側壁（３１）上に得られることを特徴とする、請求項９４に記載のキャップ手段。
【請求項９６】
前記少なくとも１つの第２部分（２１）は前記側壁（３１）と反対の更なる側壁（３０）を備えることを特徴とする、請求項９５に記載のキャップ手段。
【請求項９７】
前記側壁（３１）は前記意図した回転方向（Ｎ）に沿って前記更なる側壁（３０）に先行するように設置されることを特徴とする、請求項９６に記載のキャップ手段。
【請求項９８】
前記密閉促進手段（３２、３４）は前記少なくとも１つの第１部分（２０）上に得られる、また更なる傾斜部分（３４）を備えることを特徴とする、請求項９３〜９７のいずれか１項に記載のキャップ手段。
【請求項９９】
前記また更なる傾斜部分（３４）は前記外縁部（１５）に横に設置される前記少なくとも１つの第１部分（２０）のまた更なる側壁（３３）上に得られることを特徴とする、請求項９８に記載のキャップ手段。
【請求項１００】
前記また更なる側壁（３３）は前記意図した回転方向（Ｎ）に沿って前記少なくとも１つの第２部分（２１）に先行するように設置されることを特徴とする、請求項９９に記載のキャップ手段。
【請求項１０１】
請求項７９〜１００のいずれか１項に記載のキャップ手段であって、更に前記開口表示手段（６）を前記キャップ手段の本体（８）へ接続するように配置される複数の破断可能な要素（１３）を備え、前記少なくとも１つの第２部分（２１）は前記複数の破断可能な要素の２つの隣接する破断可能な要素の間に介在するキャップ手段。
【請求項１０２】
前記開口表示手段（６）の外縁部（１５）の一部に沿って伸び、容器手段の首部（２）と結合する隣接手段（５）と相互作用するように配置されるフラップ手段（１６）を備える開口表示手段（６）を備えるキャップ手段であって、前記フラップ手段（１６）は前記外縁部（１５）に沿って互いに平行な、少なくとも１つの第１部分（２０）と少なくとも１つの第２部分（２１）を備え、前記外縁部（１５）を横に測定した前記少なくとも１つの第２部分（２１）の寸法（Ｆ）は、前記外縁部（１５）を横に測定した前記少なくとも１つの第１部分（２０）の対応する更なる寸法（Ｃ）より大きく、前記少なくとも１つの第１部分（２０）は、前記キャップ手段（３）が前記首部（２）上でねじ込まれる意図した回転方向（Ｎ）に前部少なくとも１つの第２部分（２１）に先行するキャップ手段。
【請求項１０３】
前記少なくとも１つの第１部分（２０）と前記少なくとも１つの第２部分（２２）は前記隣接手段（５）の一対の連続した隣接要素（５ｃ、５ｄ）と同時に相互作用するような形状であることを特徴とする、請求項１０２に記載のキャップ手段。
【請求項１０４】
前記少なくとも１つの第２部分（２１）の厚さは前記少なくとも１つの第１部分（２０）の更なる厚さと異なることを特徴とする、請求項１０２又は１０３に記載のキャップ手段。
【請求項１０５】
前記厚さは前記外縁部（１５）から離れて増加することを特徴とする、請求項１０４に記載のキャップ手段。
【請求項１０６】
前記厚さは前記更なる厚さより大きいことを特徴とする、請求項１０４又は１０５に記載のキャップ手段。
【請求項１０７】
前記更なる厚さはほぼ一定であることを特徴とする、請求項１０４〜１０６のいずれか１項に記載のキャップ手段。
【請求項１０８】
前記少なくとも１つの第２部分（２１）は前記少なくとも１つの第１部分（２０）に対して１つの側面から突出するような形状であることを特徴とする、請求項１０４〜１０７のいずれか１項に記載のキャップ手段。
【請求項１０９】
前記少なくとも１つの第２部分（２１）は前記少なくとも１つの第１部分（２０）に対して、前記側面と反対の更なる側面から突出するような形状であることを特徴とする、請求項１０８に記載のキャップ手段。
【請求項１１０】
前記フラップ手段（１６）は前記意図した回転方向（Ｎ）に前記隣接手段（５）上での前記フラップ手段（１６）の滑動を容易にするように配置される密閉促進手段（３２、３４）を備えることを特徴とする、請求項１０４〜１０９のいずれか１項に記載のキャップ手段。
【請求項１１１】
前記密閉促進手段（３２、３４）は前記少なくとも１つの第２部分（２１）上に得られる傾斜部分（３２）を備えることを特徴とする、請求項１１０に記載のキャップ手段。
【請求項１１２】
前記傾斜部分（３２）は前記外縁部（１５）に横に設置される前記少なくとも１つの第２部分（２１）の側壁（３１）上に得られることを特徴とする、請求項１１１に記載のキャップ手段。
【請求項１１３】
前記少なくとも１つの第２部分（２１）は前記側壁（３１）と反対の更なる側壁（３０）を備えることを特徴とする、請求項１１２に記載のキャップ手段。
【請求項１１４】
前記側壁（３１）は前記意図した回転方向（Ｎ）に沿って、前記更なる側壁（３０）に先行するように設置されることを特徴とする、請求項１１３に記載のキャップ手段。
【請求項１１５】
前記密閉促進手段（３２、３４）は前記少なくとも１つの第１部分（２０）上に得られる更なる傾斜部分（３４）を備えることを特徴とする、請求項１１０〜１１４のいずれか１項に記載のキャップ手段。
【請求項１１６】
前記更なる傾斜部分（３４）は前記外縁部（１５）に横に設置される前記少なくとも１つの第１部分（２０）のまた更なる側壁（３３）上に得られることを特徴とする、請求項１１５に記載のキャップ手段。
【請求項１１７】
前記また更なる側壁（３３）は前記意図した回転方向（Ｎ）に沿って前記少なくとも１つの第２部分（２１）に先行するように設置されることを特徴とする、請求項１１６に記載のキャップ手段。
【請求項１１８】
請求項１０４〜１１７のいずれか１項に記載のキャップ手段であって、更に前記開口表示手段（６）を前記キャップ手段の本体（８）へ接続するように配置される複数の破断可能な要素（１３）を備え、前記少なくとも１つの第２部分（２１）は前記複数の破断可能な要素の２つの隣接する破断可能要素の間に介在するキャップ手段。
【請求項１１９】
前記開口表示手段（６）の外縁部（１５）に沿って伸び、容器手段の首部（２）と結合する隣接手段（５）と相互作用するように配置されるフラップ手段（１６）を備える開口表示手段（６）を備えるキャップ手段であって、前記フラップ手段（１６）は前記外縁部（１５）に沿って互いに平行な、少なくとも１つの部分（２１）と少なくとも１つの更なる部分（２２）を備え、前記外縁部（１５）を横に測定した前記少なくとも１つの部分（２１）の寸法（Ｆ）は、前記外縁部（１５）を横に測定した前記少なくとも１つの更なる部分（２２）の対応する更なる寸法（Ｑ）より大きく、前記少なくとも１つの更なる部分（２２）は前記隣接手段（５）に対して前記少なくとも１つの更なる部分（２２）を設置するように配置される設置手段（２９）を備えるキャップ手段。
【請求項１２０】
前記設置手段は、前記少なくとも１つの更なる部分（２２）を前記首部（２）に作られる取出し口から最も遠い前記隣接手段（５）の領域（２４）と相互作用させるように配置される傾斜部（２９）を備えることを特徴とする、請求項１１９に記載のキャップ手段。
【請求項１２１】
前記領域（２４）と相互作用するように配置される前記少なくとも１つの更なる部分（２２）の活性表面（２５）上に得られることを特徴とする、請求項１２０に記載のキャップ手段。
【請求項１２２】
前記傾斜部（２９）は、前記キャップ手段（３）が前記首部（２）からねじ取られる意図した移動方向（Ｈ）に前記少なくとも１つの部分（２１）に先行することを特徴とする、請求項１２０又は１２１に記載のキャップ手段。
【請求項１２３】
前記少なくとも１つの第１部分（２１）は前記少なくとも１つの更なる部分（２２）の更なる厚さと異なる厚さを有することを特徴とする、請求項１１９〜１２２のいずれか１項に記載のキャップ手段。
【請求項１２４】
前記厚さは前記外縁部（１５）から離れて増加することを特徴とする、請求項１２３に記載のキャップ手段。
【請求項１２５】
前記厚さは前記更なる厚さより大きいことを特徴とする、請求項１２３又は１２４に記載のキャップ手段。
【請求項１２６】
前記更なる厚さはほぼ一定であることを特徴とする、請求項１２３〜１２５のいずれか１項に記載のキャップ手段。
【請求項１２７】
前記少なくとも１つの部分（２１）は前記少なくとも１つの更なる部分（２２）に対して１つの側面から突出するように配置されることを特徴とする、請求項１２３〜１２６のいずれか１項に記載のキャップ手段。
【請求項１２８】
前記少なくとも１つの部分（２１）は前記少なくとも１つの更なる部分（２２）に対して前記側面と反対にある更なる側面から突出するように配置されることを特徴とする、請求項１２７に記載のキャップ手段。
【請求項１２９】
前記フラップ手段（１６）は、前記キャップ手段（３）が前記首部（２）上でねじ込まれる意図した回転方向（Ｎ）に前記隣接手段（５）上での前記フラップ手段（１６）の滑動を容易にするように配置される密閉促進手段（３２）を備えることを特徴とする、請求項１１９〜１２８のいずれか１項に記載のキャップ手段。
【請求項１３０】
前記密閉促進手段（３２）は前記少なくとも１つの部分（２１）上に得られる傾斜部分（３２）を備えることを特徴とする、請求項１２９に記載のキャップ手段。
【請求項１３１】
前部傾斜部分（３２）は前記外縁部（１５）に横に設置した前記少なくとも１つの部分（２１）の側壁（３１）上に得られることを特徴とする、請求項１３０に記載のキャップ手段。
【請求項１３２】
前記少なくとも１つの部分（２１）は前記側壁（３１）と反対の更なる側壁（３０）を備えることを特徴とする、請求項１３１に記載のキャップ手段。
【請求項１３３】
前記側壁（３１）は、前記意図した回転方向（Ｎ）に沿って前記更なる側壁（３０）に先行するように設置されることを特徴とする、請求項１３２に記載のキャップ手段。
【請求項１３４】
請求項１１９〜１３３のいずれか１項に記載のキャップ手段であって、更に前記開口手段（６）を前記キャップ手段の本体（８）へ接続するように配置される複数の破断可能な要素（１３）を備え、前記少なくとも１つの更なる部分（２１）は前記複数の破断可能な要素の２つの隣接する破断可能な要素の間に介在するキャップ手段。
【請求項１３５】
前記開口表示手段（６）の外縁部（１５）に沿って伸び、容器手段の首部（２）と結合する隣接手段（５）と相互作用するように配置されるフラップ手段（１６）を備える開口表示手段（６）を備えるキャップ手段であって、前記フラップ手段（１６）は前記外縁部（１５）に沿って互いに平行な少なくとも１つの部分（２０；２２）と少なくとも１つの更なる部分（２１）を備え、前記外縁部（１５）を横に測定した前記少なくとも１つの更なる部分（２１）の寸法（Ｆ）は前記外縁部（１５）を横に測定した前記少なくとも１つの部分（２０）の対応する更なる寸法（Ｃ；Ｑ）より大きく、前記少なくとも１つの更なる部分（２１）は前記少なくとも１つの部分（２０；２２）の更なる厚さと異なる厚さを有するキャップ手段。
【請求項１３６】
前記厚さは前記外縁部（１５）から離れて増加することを特徴とする、請求項１３５に記載のキャップ手段。
【請求項１３７】
前記厚さは前記更なる厚さより大きいことを特徴とする、請求項１３５又は１３６に記載のキャップ手段。
【請求項１３８】
前記更なる厚さはほぼ一定であることを特徴とする、請求項１３５〜１３７のいずれか１項に記載のキャップ手段。
【請求項１３９】
前記少なくとも１つの更なる部分（２１）は前記少なくとも１つの部分（２０；２２）に対して１つの側面から突出するような形状であることを特徴とする、請求項１３５〜１３８のいずれか１項に記載のキャップ手段。
【請求項１４０】
前記少なくとも１つの更なる部分（２１）は前記少なくとも１つの部分（２０；２２）に対して、前記側面と反対の更なる側面から突出するような形状であることを特徴とする、請求項１３９に記載のキャップ手段。
【請求項１４１】
前記フラップ手段（１６）は、前記キャップ手段（３）が前記首部（２）上にねじ込まれる意図した回転方向（Ｎ）に、前記隣接（５）上での前記フラップ手段（１６）の滑動を容易にするように配置される密閉促進手段（３２、３４）を備えることを特徴とする、請求項１３５〜１４０のいずれか１項に記載のキャップ手段。
【請求項１４２】
前記密閉促進手段（３２；３４）は前記少なくとも１つの更なる部分（２１）上に得られる傾斜部分（３２）を備えることを特徴とする、請求項１４１に記載のキャップ手段。
【請求項１４３】
前記傾斜部分（３２）は前記外縁部（１５）に横に設置される前記少なくとも１つの更なる部分（２１）の側壁（３１）上に得られることを特徴とする、請求項１４２に記載のキャップ手段。
【請求項１４４】
前記少なくとも１つの更なる部分（２１）は前記側壁（３１）と反対の更なる側壁（３０）を備えることを特徴とする、請求項１４３に記載のキャップ手段。
【請求項１４５】
前記側壁（３１）は前記意図した回転方向（Ｎ）に沿って前記更なる側壁（３０）に先行するように設置されることを特徴とする、請求項１４４に記載のキャップ手段。
【請求項１４６】
前記密閉促進手段（３２、３４）は前記少なくとも１つの部分（２０）上に得られる更なる傾斜部分（３４）を備えることを特徴とする、請求項１４１〜１４５のいずれか１項に記載のキャップ手段。
【請求項１４７】
前記更なる傾斜部分（３４）は前記外縁部（１５）に横に設置される前記少なくとも１つの部分（２０）のまた更なる側壁（３３）上に得られることを特徴とする、請求項１４６に記載のキャップ手段。
【請求項１４８】
前記また更なる側壁（３３）は前記意図した回転方向（Ｎ）に沿って、前記少なくとも１つの更なる部分（２１）に先行するように設置されることを特徴とする、請求項１４７に記載のキャップ手段。
【請求項１４９】
前記少なくとも１つの部分（２２）は前記隣接手段（５）に対して前記少なくとも１つの部分（２２）を設置するように配置される位置手段（２９）を備えることを特徴とする、請求項１３５〜１４８のいずれか１項に記載のキャップ手段。
【請求項１５０】
前記設置手段は、前記少なくとも１つの部分（２２）に前記首部（２）に作られる取り出し口から最も遠い前記隣接手段（５）の領域（２４）と相互作用させるように配置される傾斜部（２９）を備えることを特徴とする、請求項１４９に記載のキャップ手段。
【請求項１５１】
前記傾斜手段（２９）は、前記領域（２４）と相互作用するように配置される前記少なくとも１つの部分（２２）の活性表面（２５）上に得られることを特徴とする、請求項１５０に記載のキャップ手段。
【請求項１５２】
前記傾斜手段（２９）は、前記キャップ手段（３）が前記首部（２）からねじ取られる意図した移動方向（Ｈ）に前記少なくとも１つの更なる部分（２１）に先行することを特徴とする、請求項１５０又は１５１に記載のキャップ手段。
【請求項１５３】
請求項１３５〜１５２のいずれか１項に記載のキャップ手段であって、更に前記開口手段（６）を前記キャップ手段の本体（８）へ接続するように配置される複数の破断可能な要素（１３）を備え、前記少なくとも１つの更なる部分（２１）は前記複数の破断可能な要素の２つの隣接する破断可能な要素（１３）の間に介在するキャップ手段。
【請求項１５４】
前記開口表示手段（６）の外縁部（１５）に沿って伸び、容器手段の首部（２）と結合する隣接手段（５）と相互作用するように配置されるフラップ手段（１６）を備える開口表示手段（６）を備えるキャップ手段であって、前記フラップ手段（１６）は少なくとも１つの第１部分（２０）と少なくとも１つの第２部分（２１）を備え、前記外縁部（１５）を横に測定した前記少なくとも１つの第２部分（２１）の寸法（Ｆ）は、前記外縁部（１５）を横に測定した前記少なくとも１つの第１部分（２０）の対応する更なる寸法（Ｃ）より大きく、前記フラップ手段（１６）は、前記キャップ手段（３）が前記首部（２）上にねじ込まれる意図した回転方向（Ｎ）に沿って前記隣接手段（５）上での前記フラップ手段（１６）の滑動を容易にするように配置される密閉促進手段（３２、３４）を備えるキャップ手段。
【請求項１５５】
前記密閉促進手段（３２、３４）は前記少なくとも１つの第２部分（２１）上に得られる傾斜部分（３２）を備えることを特徴とする、請求項１５４に記載するキャップ手段。
【請求項１５６】
前記傾斜部分（３２）は前記外縁部（１５）に横に設置される前記少なくとも１つの第２部分（２１）の側壁（３１）上に得られることを特徴とする、請求項１５５に記載のキャップ手段。
【請求項１５７】
前記少なくとも１つの第２部分（２１）は前記側壁（３１）と反対の更なる側壁（３０）を備えることを特徴とする、請求項１５６に記載のキャップ手段。
【請求項１５８】
前記側壁（３１）は前記意図した回転方向（Ｎ）に沿って前記更なる側壁（３０）に先行するように設置されることを特徴とする、請求項１５７に記載のキャップ手段。
【請求項１５９】
前記密閉促進手段（３２、３４）は前記少なくとも１つの第１部分（２０）上に得られる更なる傾斜部分（３４）を備えることを特徴とする、請求項１５４〜１５８のいずれか１項に記載のキャップ手段。
【請求項１６０】
前記更なる傾斜部分（３４）は前記外縁部（１５）に横に設置される前記少なくとも１つの第１部分（２０）のまた更なる側壁（３３）上に得られることを特徴とする、請求項１５９に記載のキャップ手段。
【請求項１６１】
前記また更なる側壁（３３）は前記意図した回転方向（Ｎ）に沿って前記少なくとも１つの第２部分（２１）に先行するように設置されることを特徴とする、請求項１６０に記載のキャップ手段。
【請求項１６２】
請求項１５４〜１６１のいずれか１項に記載のキャップ手段であって、更に前記開口表示手段（６）を前記キャップ手段の本体（８）へ接続するように配置される複数の破断可能な要素（１３）を備え、前記少なくとも１つの第２部分（２１）は前記複数の破断可能な要素の２つの隣接する破断可能な要素（１３）の間に介在するキャップ手段。
【請求項１６３】
前記開口表示手段（６）の外縁部（１５）に沿って伸び、容器手段の首部（２）と結合する隣接手段（５）と相互作用するように配置されるフラップ手段（１６）と、前記開口表示手段（６）を前記キャップ手段の本体（８）へ接続するように配置される複数の破断可能な要素（１３）とを備える開口表示手段（６）を備え、前記フラップ手段（１６）は前記外縁部（１５）に沿って互いに平行な、少なくとも１つの第１部分（２０）と少なくとも１つの第２部分（２１）を備えるキャップ手段であって、前記外縁部（１５）を横に測定した前記少なくとも１つの第２部分（２１）の寸法（Ｆ）は、前記外縁部（１５）を横に測定した前記少なくとも１つの第１部分（２０）の対応する更なる寸法（Ｃ）より大きく、前記少なくとも１つの第２部分（２１）は前記複数の破談可能な要素の２つの隣接する破断可能な要素（１３）の間に介在するキャップ手段。
【請求項１６４】
前記容器手段と結合可能なキャップ手段（３）が備えられるフラップ手段（１６）と相互作用するように配置される隣接手段（５）が伸びる首部（２）を備える容器手段であって、前記隣接手段（５）は複数の異なる隣接手段（５）を備え、前記複数の隣接要素（５）の２つの連続する隣接要素（５）の間に、前記フラップ手段（１６）を受容するように配置される空間手段（１７）が備えられ、前記容器手段は、更に前記首部（２）から、そして更に前記隣接手段（５）ではなく、前記容器手段の開口から伸びる突起手段（１８）を備える容器手段。
【請求項１６５】
前記突起手段（１８）は前記隣接手段（５）に接近して設置されることを特徴とする、請求項１６４に記載の容器。
【請求項１６６】
前記容器手段（１８）は複数の分離した突起要素を備えることを特徴とする、請求項１６４又は１６５に記載の容器手段。
【請求項１６７】
前記突起要素は前記空間手段（１７）に設置されることを特徴とする、請求項１６６に記載する容器手段。
【請求項１６８】
請求項１〜１２のいずれか１項に記載の容器手段と、請求項７９〜１０１のいずれか１項に記載の、そして／または請求項１０２〜１１８のいずれか１項に記載の、そして／または請求項１１９〜１３４のいずれか１項に記載の、そして／または請求項１３５〜１５３のいずれか１項に記載の、そして／または請求項１５４〜１６２のいずれか１項に記載の、そして／または請求項１６３に記載のキャップ手段との組み合わせ。
【発明の詳細な説明】
【技術分野】
【０００１】
本発明は、容器首部と結合する隣接手段と、上記隣接手段と相互作用するように配置されるセキュリティリング手段及びフラップ手段を備える開口表示手段を有するキャップ手段とを備える密閉手段に関する。
【０００２】
ベースキャップ本体を画定するベース壁と連携する第１部分と、ユーザに容器内に詰められた製品品質に関する情報を提供するように設計された開口表示装置を形成する第２部分とを備える円筒状シェルから構成されるキャップが知られている。
【０００３】
上記第２部分は容器首部上に得られる突起と相互作用するリングを備える。
【０００４】
突起はリング状であり、首部の側壁から突出する。
【０００５】
第１部分と第２部分は、円筒状シェルを通過し、そして第１部分と第２部分の間に伸び、容器が最初に開放される場合、破断されるように設計された橋状要素と交互に存在する複数の切り欠き又は開口から構成される意図した開口線により分離される。
【０００６】
リング縁部領域から、使用時はキャップ内に設置され、ベース壁方向へ向く複数のフラップが伸びる。
【０００７】
容器が最初に開放される場合、リングが容器首部から離脱することを防止するため、そして橋状要素の破断を容易にするため、フラップは突起と相互作用する。
【０００８】
既知キャップの欠点は容器の最初の開放中、第２部分から第１部分を分離することはかなり困難である。特に、橋状要素は変形しやすく、そのためリングが破断前にベース本体と一緒に回転してしまう。
【０００９】
このように、容器が開放され、そして内容物の一部が除去され、橋状要素の破断なく置換もされるので、開口表示装置は信頼できない。
【００１０】
これは、容器に手が加えられたかどうかを確実に証明することを許容しない。
【００１１】
本発明の目的は従来技術の密閉手段を改善することである。
【００１２】
本発明の別の目的は、容器の最初の開放中に、キャップ手段のベース本体から、迅速かつ効果的に分離することができる開口表示手段を備える密閉手段を得ることである。
【００１３】
本発明の更なる目的は、キャップ手段を容器首部からねじり取る場合、開口表示手段がキャップ手段のベース本体と一緒に回転することを防止する密閉手段を得ることである。
【００１４】
本発明の第１態様によると、開口を画定する壁を備える首部と、前記首部と結合できるキャップ手段の開口表示手段と相互作用するように配置され、前記壁から周辺に伸びるリング状突起を備える隣接手段とを備える容器手段が提供され、前記隣接手段は、更に前記リング状突起から突出する隣接要素手段を備えることを特徴とする。
【００１５】
本発明の第２態様によると、開口を画定する壁を備える首部と、前記壁から周辺に伸びるリング状突起及び前記リング状突起から突出する隣接要素手段を備える隣接手段とを備える容器手段が提供され、前記容器手段は、更に開口表示手段を備えるキャップ手段を備え、前記開口表示手段は前記隣接手段の面手段と相互作用するように配置される活性表面手段と前記隣接手段の更なる面手段と相互作用するように配置される更なる活性表面手段を備える。
【００１６】
本発明のこれらの態様により、容器手段の最初の開放中に、隣接要素手段とリング状突起は、キャップ手段のベース本体からの開口表示の手段の分離を容易にする。事実、容器手段を開けるため、キャップ手段を首部からねじり取る場合、隣接要素手段領域は、開口表示手段とベース本体間に介在する橋状要素に剪断応力を発生させる活性表面手段と相互作用する一方、リング状突起は橋状要素に通常応力を発生させる更なる活性表面手段と相互作用する。これにより橋状要素のより容易な破断が可能となる。
【００１７】
あるバージョンで、隣接要素手段の更なる領域は、上記通常応力の発生に寄与するため、更なる活性表面手段とも相互作用する。更に、リング状突起は、例えば容器母材から開始する、ブロー、移動及び充填の製造段階中の取扱いに関し、容器手段をより容易にする把持要素を形成する。
【００１８】
本発明の第３の態様によると、前記開口表示手段の外縁部に沿って伸び、容器手段首部と結合する隣接手段と相互作用するように配置されるフラップ手段を備える開口表示手段を備えるキャップ手段が提供され、前記フラップ手段は少なくとも１つの第１フラップと少なくとも１つの第２フラップを備え、前記少なくとも１つの第１フラップは１つの部分と更なる部分を備え、前記外縁部を横に測定した前記更なる部分の寸法は、前記外縁部を横に測定した前記部分の更なる寸法より大きく、前記第２フラップは、ほぼ一定である前記外縁部を横に測定した、また更なる寸法を備える。
【００１９】
本発明のこの態様により、キャップ手段が最初に首部から除去される場合、開口表示手段とキャップ手段のベース本体の間に介在する橋状要素は迅速かつ効果的に破断される。
【００２０】
上記部分は、橋状要素の破断を容易にする引張り応力を発生させるため、首部から突出する隣接手段と相互作用することができる。
【００２１】
上記更なる部分は橋状要素の破断を容易にする剪断応力を発生させるため、上記隣接手段と相互作用することができる。
【００２２】
上記少なくとも１つの第２フラップは橋状要素の破断を容易にする引張り応力を発生させるため、上記隣接手段と相互作用することができる。
【００２３】
本発明の第４態様によると、容器手段首部と結合する隣接手段と相互作用するように配置されるフラップ手段を突出させる外縁部を備える開口表示手段を備えるキャップ手段が提供され、前記フラップ手段は第１フラップ手段と第２フラップ手段を備え、前記第１フラップ手段と前記第２フラップ手段は互いに異なり、前記第１フラップ手段は前記外縁部を横に測定して、ほぼ一定の寸法を有し、そして前記第２フラップ手段は前記外縁部を横に測定して、ほぼ一定の更なる寸法を有し、前記寸法は前記更なる寸法より大きい。
【００２４】
本発明のこの態様により、キャップ手段が最初に首部から除去される場合、開口表示手段とキャップ手段のベース本体の間に介在する橋状要素の迅速かつ効果的な破断を可能にするキャップ手段を得ることが可能である。
【００２５】
本発明の第５態様によると、前記開口表示手段の外縁部の一部に沿って伸び、容器手段首部と結合する隣接手段と相互作用するように配置されるフラップ手段を備える開口表示手段を備えるキャップ手段が提供され、前記フラップ手段は前記外縁部に沿って、互いに平行な少なくとも１つの第１部分、少なくとも１つの第２部分及び少なくとも１つの第３部分を備え、前記外縁部を横に測定した少なくとも１つの第２部分の寸法は、前記外縁部を横に測定した前記少なくとも１つの第１部分の対応する更なる寸法より大きく、前記外縁部を横に測定した前記少なくとも１つの第３部分の対応するまた更なる寸法より大きい。
【００２６】
本発明の第６態様によると、前記開口表示手段の外縁部の一部に沿って伸び、容器手段首部と結合する隣接手段と相互作用するように配置される、フラップ手段を備える開口表示手段を備えるキャップ手段が提供され、前記フラップ手段は、前記外縁部に沿って互いに平行な少なくとも第１部分と少なくとも１つの第２部分を備え、前記外縁部を横に測定した前記少なくとも１つの第２部分の寸法は、前記外縁部を横に測定した前記少なくとも１つの第１部分の対応する更なる寸法より大きく、前記少なくとも１つの第１部分は、前記キャップ手段が前記首部上にねじ込まれる意図した回転方向で前記少なくとも１つの第２部分に先行する。
【００２７】
本発明の第７態様によると、前記開口手段の外縁部に沿って伸び、容器手段首部と結合する隣接手段と相互作用するように配置されるフラップ手段を備える開口表示手段を備えるキャップ手段が提供され、前記フラップ手段は前記外縁部に沿って互いに平行な少なくとも１つの部分と少なくとも１つの更なる部分を備え、前記外縁部を横に測定した少なくとも１つの部分の寸法は、前記外縁部を横に測定した前記少なくとも１つの更なる部分の対応する更なる寸法より大きく、前記少なくとも１つの更なる部分は、前記隣接手段に関し前記少なくとも１つの更なる部分を設置するように配置される設置手段を備える。
【００２８】
本発明のこの態様により、キャップ手段が結合する容器が最初に開放される場合、設置手段はフラップ手段と隣接手段の間の効果的相互作用を保証し、キャップ手段のベース本体からの開口表示手段の容易な分離を可能にするように、少なくとも１つの更なる部分が隣接手段の下に設置されるようにする。
【００２９】
本発明の第８態様によると、前記開口表示手段の外縁部に沿って伸び、容器手段首部と結合する隣接手段と相互作用するように配置されるフラップ手段を備える開口表示手段を備えるキャップ手段が提供され、前部フラップ手段は前記外縁部に沿って互いに平行な少なくとも１つの第１部分と少なくとも１つの第２部分を備え、前記外縁部を横に測定した前記少なくとも１つの第２部分の寸法は、前記外縁部を横に測定した前記少なくとも１つの第１部分の対応する更なる寸法より大きく、前記少なくとも１つの第２部分は前記少なくとも１つの第１部分の更なる厚さと異なる厚さを有する。
【００３０】
本発明の第９態様によると、前記開口表示手段の外縁部に沿って伸び、容器手段首部と結合する隣接手段と相互作用するように配置されるフラップ手段を備える開口表示手段を備えるキャップ手段が提供され、前記フラップ手段は少なくとも１つの第１部分と少なくとも１つの第２部分を備え、前記外縁部を横に測定した前記少なくとも１つの第２部分の寸法は、前記外縁部を横に測定した前記少なくとも１つの第１部分の対応する更なる寸法より大きく、前記フラップ手段は、キャップ手段が首部上にねじ込まれる意図した回転方向に前記隣接手段上での前記フラップ手段の滑動を容易にするように配置される密閉促進手段を備える。
【００３１】
本発明の第１０態様によると、前記開口表示手段の外縁部に沿って伸び、容器手段首部と結合する隣接手段と相互作用するように配置されるフラップ手段を備える開口表示手段を備えるキャップ手段が提供され、複数の破断可能な要素は前記開口表示手段を前記キャップ手段本体へ接続するように配置され、前記フラップ手段は前記外縁部に沿って互いに平行な少なくとも１つの第１部分と少なくとも１つの第２部分を備え、前記外縁部を横に測定した前記少なくとも１つの第２部分の寸法は、前記外縁部を横に測定した前記少なくとも１つの第１部分の対応する更なる寸法より大きく、前記少なくとも１つの第２部分は、前記複数の破断可能な要素の２つの隣接する破断可能な要素間に介在する。
【００３２】
フラップ手段は隣接手段領域と相互作用するように配置される活性表面、及び隣接手段の更なる領域と相互作用するように配置される更なる活性表面を備える。特に、活性表面は、容器手段が最初に開放される場合、開口表示手段が首部に対し軸方向へ移動することを防止するように、上記領域と相互作用する。更に、キャップ手段の軸平面に、ほぼ沿って設置される更なる活性表面は、開口表示手段がキャップ手段をベース本体へ接続する橋状要素を破断することなく、回転することを防止する。このようにキャップ手段が首部に対し非常に限られた角度だけ回転した後、橋状要素が破断する。
【００３３】
従って、このような手を加えることが開口表示手段により明確に示されることなく、手を加えることができないキャップ手段を得ることが可能である。
【００３４】
更に、隣接手段と相互作用するフラップ手段は、橋状要素がフラップ手段の更なる活性表面と隣接手段の更なる領域間の相互作用により、直ちに破断するので、容器手段が迅速に開放されることを可能にする。
【００３５】
本発明の第１１態様によると、前記容器手段と結合するキャップ手段に備えられるフラップ手段と相互作用するように配置される隣接手段が伸びる首部を備える容器手段が提供され、前記隣接手段は前記複数の隣接要素の２つの連続した隣接要素の間で、前記フラップ手段を受容するように配置される空間手段を画定する複数の異なる隣接要素を備え、前記容器手段は、更に前記首部から周辺に伸び、更に前記隣接手段でなく、前記容器手段開口から伸びる突起手段を備える。使用中、突起手段は、隣接手段に対して、所定位置にフラップ手段部分を保持する。特に、突起手段は、首部の側面円筒状壁とほぼ平行な位置に上記部分を保持する。
【００３６】
突起手段により、容器が最初に開放される場合、隣接要素がフラップ手段に対し、対照的作用をより効果的に及ぼし、それにより、キャップ手段のベース本体から開口表示手段の迅速な分離を促進するように、容器が最初に開放される場合、上記部分と隣接要素間の非常に大きな接触領域を有することが可能である。
【００３７】
本発明は、そのいくつかの典型的及び限定しない実施例を示す付属図面を参照して、よりよく理解され、そして実施されるだろう。
【００３８】
図１〜８は容器首部２と結合するキャップ３を備える密閉手段１を示す。
【００３９】
キャップ３は圧縮又は射出により成型されるプラスチックから作られる。
【００４０】
首部２は、キャップ３に取り付けられる開口表示手段６と相互作用するように配置される隣接要素５が外向きに突出する長手軸Ａを有する口部４を備える。
【００４１】
隣接要素５は、空間１７が２つの隣接する隣接要素５間に画定されるように、首部２の外周に沿って設置される。
【００４２】
図８によりよく図示されるように、キャップ３は、ベース壁１０に対し横に設置される側壁９が周囲に突出するベース壁１０を備えるベース本体８を備える。
【００４３】
側壁９は、口部４上に確保される更なるねじ部１１と係合するように配置されるねじ部７を内側に備える。
【００４４】
開口表示手段６は橋状要素１３によりベース壁１０と反対の側壁９の端部１４へ接続されるセキュリティリング手段１２（図１及び図８〜１２に図示）を備える。橋状要素１３は、キャップ３の成形中に、開口表示手段６の周辺に沿って分布する開口表示手段６又はリブのより厚い部分を形成することにより得られる。成形後、側壁９を貫通するが、この様に橋状要素１３を画定する上記のより厚い部分を貫通しない連続した周辺の切り欠きが開口表示手段に作られる。
【００４５】
又、橋状要素１３を形成する非切断部分と交互に存在する複数のスルーカットはギザギザの外形を有するナイフによりほぼ一定の厚さの側壁９に得られる。
【００４６】
フラップ手段１６はセキュリティリング手段１２の下縁領域１５へ接続される。使用時は、フラップ手段１６はキャップ３内部へ曲げられ、容器が最初に開放される場合、フラップ手段１６は橋状要素１３の破断を容易にし、それによりセキュリティリング手段１２のベース本体８からの分離を可能にするため、隣接要素５と相互作用する。
【００４７】
図２は、フラップ手段１６がキャップ３の円周に沿って配置される複数のフラップ１００を備える、開口表示手段６の第１バージョンを示す。特に、各フラップ１００は、第１フラップ部分２０、第２フラップ部分２１、及び第３フラップ部分２２を備える。第１フラップ部分２０は第１周辺延長部Ｂ、及び第１横断寸法Ｃを有する。第２フラップ部分２１は第２周辺延長部Ｅ、及び第１横断寸法Ｃより大きい第２横断寸法Ｆを有する。第３フラップ部分２２は、第１横断寸法Ｃにほぼ等しい第３横断寸法Ｑ、及び例えば第１周辺延長部Ｂより小さい第３周辺延長部Ｇを有する。
【００４８】
第２フラップ部分２１は第１フラップ部分２０と第３フラップ部分２２の間に介在する。
【００４９】
キャップ３が首部２と結合する場合、各第２フラップ部分２１は一対の隣接する隣接要素５により画定される対応する空間１７に設置される。前記構成で、第１フラップ部分２０は前記一対の隣接要素の第１隣接要素５ａと連携し、第３フラップ部分２２は前記一対の隣接要素の第２隣接要素５ｂと連携する。
【００５０】
特に、第１フラップ部分２０の第１活性表面２３と、第３フラップ部分２２の第２活性表面２５は隣接要素５の第１面２４と相互作用するように配置される。
【００５１】
第２フラップ部分２１は、キャップ３が最初に容器から除去される場合、隣接要素５が第２フラップ部分２１により与えられる推力により効果的に対抗できるように、ほぼ直線的な第１側面３０を備える。第１側面３０は第２活性表面２５に横に設置され、第１面２４に横に伸びる隣接要素５の第２面２７と相互作用するように配置される第３活性表面２６を備える。
【００５２】
図１３によりよく図示されるように、第２フラップ部分２１は第１側面３０と反対の、円形の、又は図１３の平面に横の平面にある斜視部分３２を備える第２側面３１を備える。
【００５３】
充填直後の容器を密閉するため、キャップ３が最初に首部２上にねじ込まれる場合、傾斜部分３２は、第２フラップ部分２１が、隣接要素５を通過した後、夫々の空間１７へ設置されるように、隣接要素５に対し、ねじ込む方向Ｎに第２フラップ部分２１の滑動を容易にする。
【００５４】
第２フラップ部分２１は、２つの隣接する橋状要素１３間に介在するように設置される。これにより、容器が最初に密閉される場合、キャップ３のねじ込みを容易にするように、橋状要素１３と干渉することなくセキュリティリング手段の内側表面３６に向かって第２フラップ部分２１が曲がるようにする。換言すると、橋状要素１３は、キャップ３が首部２へ取り付けられる場合、第２フラップ部分２１の変形性を制限しない。
【００５５】
第２フラップ部分２１は、第１フラップ部分２０及び第３フラップ部分２２の厚さにほぼ等しい下縁領域１５に近い第１厚さと、下縁領域１５と反対の端縁部３５に近い上記第１厚さより大きい第２厚さを有する。
【００５６】
図９に図示されるフラップ手段１６の第１バージョンで、各第２フラップ部分２１は、キャップ３が首部２と結合する場合、第１フラップ部分２０、及び内表面３６にも面する第３フラップ部分２３の更なる第１表面３８とほぼ整列する内表面３６に面する第１表面３７を備える。第２フラップ部２１は、それが第１フラップ部分２０と、更なる第１表面３８に関し反対側の第３フラップ部分２３とに対し、横に突出するような形状である。
【００５７】
図１０に図示される、フラップ手段１６の第２バージョンで、各第２フラップ部分２１は、第１フラップ部２０と第３フラップ部分２３に対し、両側から横へ突出するような形状である。
【００５８】
図１１に図示されるフラップ手段１６の第３バージョンで、各第２フラップ部分２１は、第１フラップ部分２０と第３フラップ部分２３の更なる第２表面４０とほぼ整列する第１表面３７と反対の第２表面３９を備える。第２フラップ部分２１は、更なる第２表面４０に対して反対側から第１フラップ部分２０と第３フラップ部分２３に対し、即ちキャップ３が首部２と結合する場合、内表面３６へ向かって横に突出するような形状である。
【００５９】
口部４上に、隣接要素５に対し、更なるねじ部１１と反対側で、及びこれに近く設置される拡張部分１８が得られる。拡張部分１８は、ほぼ垂直位置に、即ち長手軸Ａとほぼ平行に第２フラップ部分２１を保持する。これにより、容器が最初に開放される場合、大きな接触領域を第２フラップ部分２１と隣接要素５の間に得ることが可能になる。このように、隣接要素５はフラップ手段１６、従って開口表示手段６により効果的に対抗することができ、橋状要素１３の破断を容易にする。
【００６０】
拡張部分１８が、首部２の全周辺円周に沿って伸びるか、又は例えば拡張部分１８が隣接する隣接要素５間の領域、即ち空間１７に設置される領域だけを占有するように分断される。
【００６１】
容器が最初に開放される場合、キャップ３は首部２からねじ取られ、そして回転方向Ｈ（図２に図示）の方向に回転する。回転中、第３活性表面２６は第２面２７の上に来るようになり、これにより開口表示手段６がベース本体８と共に回転することを防止する。このように、ベース本体８と開口表示手段６の間に、橋状要素１３上に剪断応力を発生させる相対回転が起こる。更に、キャップ３がねじ取られるにつれて、ベース本体８は長手軸Ａに平行に移動し、隣接要素５から離れる。第１活性表面２３と、第２活性表面２５と相互作用する第１面２４は、フラップ手段１６、従って開口表示手段６を軸方向に停止させる。これにより、上記剪断応力と共に、橋状要素１３を迅速に、かつ効果的に破断する引張り応力が発生する。
【００６２】
図３は開口表示手段６の第２バージョンを図示し、ここではフラップ１００は図２を参照して述べたそれにほぼ類似の形状であるが、それらは第３フラップ部分２２を欠いている。このように、開口表示手段６は、第１活性表面２３により、第１面２４に作用する第１フラップ部分２０により軸方向のみ停止される。橋状要素１３は図２に示す開口表示手段の第１バージョンを参照して述べたそれに類似の方法で破断される。
【００６３】
特に、キャップ３が首部２から最初に除去される場合、第１フラップ部分２０は一対の隣接要素の隣接要素５ｃと連携し、そして、第３フラップ部分２２は前記一対の隣接要素の更なる隣接要素５ｄと連携する。
【００６４】
開口表示手段６の第１バージョンに対して述べたことと同様に、第２バージョンによる開口表示手段６は図９又は図１０又は図１１を参照して述べたような形状の第２フラップ部分２１を備える。
【００６５】
図４は開口表示手段６の第３バージョンを図示し、ここではフラップ１００は第２フラップ部分２１と第３フラップ部分２２を備えるが、第１フラップ部分２０を欠いている。容器が最初に開放される場合、開口表示手段６は、第２活性表面２５により、第１面２４へ作用する第３フラップ部分２２によってのみ軸方向に停止される。隣接要素５と連携する第２フラップ部分２１は、開口表示手段６が図２を参照して述べたことと同様にベース本体８と共に回転することを防止する。
【００６６】
開口表示手段６の第１バージョンについて述べたことと同様に、第３バージョンによる開口表示手段６も、図９又は図１０又は図１１を参照して述べたような形状の第２フラップ部分２１を備える。
【００６７】
図５は開口表示手段６の第４バージョンを図示し、ここではフラップ１００は図２を参照して述べたそれと同様の形状である。第１フラップ部分２０の代わりに、更なる第１フラップ部分２８が第２フラップ部分２１と共に、対応する空間１７で受容されるように、第３フラップ部分２２の第３横方向延長部Ｑにほぼ等しい更なる第１横断寸法Ｃ１、及び第１周辺延長部Ｂより小さい更なる第１周辺延長部Ｍを有する更なる第１フラップ部分２８がある。
【００６８】
キャップ３が開放される場合、第３フラップ部分は隣接要素５と相互作用する一方、更なる第１フラップ部分２８はいかなる隣接要素５とも相互作用しない。開口表示手段６の第１バージョンに対して述べたことと同様に、第４バージョンによる開口表示手段６も、図９又は図１０又は図１１を参照して述べたような形状の第２フラップ部分２１を備える。
【００６９】
図６は、図５の開口表示手段６の第４バージョンに類似の開口表示手段６の第５バージョンを示し、ここでは各フラップ１００は、第２活性表面２５の一部に影響し、そして図６の平面にほぼ垂直な平面上に存在する傾斜部２９が得られる。傾斜部２９と第１面２４の間に、鋭角Ｌが画定される。
【００７０】
キャップ３が首部２からそれを外すように回転する場合、第２活性表面２５が第１表面２４と接触するように傾斜部２９により第３フラップ部分２２が対応する隣接要素５の下へ来るようになる。
【００７１】
傾斜部２９は図２、４及び５のフラップ手段１６にも備えられる。
【００７２】
開口表示手段６の第１バージョンに対して述べたことと同様に、第５バージョン６による開口表示手段も図９又は図１０又は図１１を参照して述べたような形状の第２フラップ部分２１を備える。
【００７３】
図２及び３に図示するバージョンで第１フラップ部分２０と図５及び６の更なる第１フラップ部分２８は、首部２に面する領域で円形の、又は図１３に示すように、更なる傾斜部３４を有する、第１側面３０と反対の第３側面３３を備える。
【００７４】
容器を最初に密閉するため、キャップ３を首部２へねじ込む場合、第３傾斜部３４は、対応する隣接要素５の外表面上で、ねじ込み方向Ｎへ、第１フラップ部分２０又は更なる第１フラップ部分２８の滑動を容易にする。これにより、第１フラップ部分２０または更なる第１フラップ部分２８を隣接要素５の下へ設置することを容易にする。
【００７５】
図１２は、容器内部が外部環境から効果的に隔離することができるシール部分４１を備えるキャップ３のバージョンを図示する。
【００７６】
シール部分４１は、使用中、口部４内に設置されるように、ベース壁１０から横に突出し、長手軸Ａとほぼ共軸のリング状壁４２を備える。リング状壁４２上には、長手軸Ａから半径方向へ突出し、そして口部４の円筒状内表面４４と連携するように配置される。
【００７７】
シール部分４１は、リング状壁４２と同じ方向へ突出し、この壁と側壁９の間に介在する第２突起部分４５を備える。
【００７８】
第２突起部分４５は、使用時、ベース壁１０に面する首部２の口部表面４６と連携するような形状である。
【００７９】
更に、シール部分４１は更に第２突起部分４５に接近して配置され、側壁９からリング状壁４２へ突出する第３突起部分４７を備える。第３突起部分４７は、使用時、首部２円筒状外表面４８と連携するような形状である。
【００８０】
シール部分４１は図１〜１１を参照して記述したキャップ３のいずれのバージョンにも存在する。図１４は製品を容器へ挿入し、又はこれから除去することができる開口５０を画定する壁４９を備える。例えば瓶又は容器母材のような容器の首部２を図示する。
【００８１】
首部２は、容器の口部分４に対して、外側に配置されるねじ部１１１を備える。
【００８２】
首部２は、ねじ部１１１の下に設置され、壁４９から突出するカラー５６を備える。
【００８３】
ねじ部１１１は、開口５０を密閉するため、首部２と結合するキャップ上の内側に備えられる対応する更なるねじ部と係合するように配置される。
【００８４】
首部２は、更にキャップに備えられる開口表示手段と相互作用するように配置される隣接手段１０５を備える。
【００８５】
隣接手段１０５は壁４９から周辺に伸び、隣接要素５が外へ突出するリング状突起５１を備える。
【００８６】
隣接要素５は互いに異なり、そして２つの隣接手段５の間に空間を画定するように、リング状突起５１の外周に沿って配置される。
【００８７】
図１５に図示するように、リング状突起５１は円錐状外形を有し、又はキャップが最初に首部２と結合する場合、開口表示手段がリング状突起５１を容易に越えられるのに適した外形を有する表面部分により画定される第１壁５２を備える。
【００８８】
リング状突起５１は、更にほぼ円筒状で壁４９にほぼ平行な表面部分により画定される第２壁５３を備える。
【００８９】
リング状突起５１は、更にほぼ平坦で、開口５０により画定される平面に殆ど平行に設置される第１面５４を備える。
【００９０】
第１面５４は円形王冠の形状を有する。
【００９１】
第２壁５３は長手軸Ａにより近い空間１７領域を画定する。
【００９２】
各隣接要素５は、上記で各隣接要素５を画定する更なる第１壁５８、及び下部で各隣接要素５を画定する更なる第１面５９を備える。
【００９３】
更なる第１壁５８は第１壁５２の延長部上に存在する。
【００９４】
同様に、更なる第１面５９は第１面５４の延長部上に存在する。このような場合、更なる第１面５９と第１面５４はほぼ同一平面上にある。更に、隣接要素５は、首部２の長手軸Ａに平行に測定したリング状突起５１の最大厚さＴにほぼ等しい、最大厚さＳを有する。換言すると、隣接要素５はリング状突起５１から軸方向へ突出するのではなく、各隣接要素５はリング状突起５１からほぼ半径方向へ伸びる。
【００９５】
図１６を参照して、各更なる第１面５９は第１面５４から半径方向へ伸び、鋭角γで周辺へ伸びる。隣接要素５、従って更なる第１面５９も、ほぼ一定角ピッチで設置される。
【００９６】
第１面５４及び更なる第１面５９は、共に以下に述べるように、開口表示手段のフラップ手段と相互作用するように配置される面手段７７を画定する。
【００９７】
更なる第１壁５８と更なる第１面５９の間に、円筒状で壁４９にほぼ平行な表面部分により画定される第４壁６２が介在する。
【００９８】
各隣接要素５は、更にほぼ平坦で、開口５０により画定される平面に対し傾斜し、そして以下に記述するような方法で開口表示手段のフラップ手段と相互作用するように配置される第２面６０を備える。
【００９９】
特に、第２面６０は上記平面にほぼ直交し、即ちそれは首部２に対して半径方向に設置される。
【０１００】
各隣接要素５は、更に第４壁６２と第２壁５３の間に介在する接続壁６３を備える。接続壁６３は湾曲表面により画定される。
【０１０１】
各隣接要素５は、それが第４壁６２でその最大値に達するまで、接続壁６３から第２面６０へ向けて増加する、首部２に対し半径方向に測定したある寸法を有する。
【０１０２】
図１７は図１４のバージョンによる首部２、及び開口５０を密閉するため、首部２へ結合されるキャップ３を図示する。
【０１０３】
キャップ３は、側壁９が周辺へ突出しベース壁１０に横に設置されるベース壁１０を備えるベース本体８を備える。側壁９は首部２のねじ部１１１と係合するように配置される更なるねじ部７を内側に備える。
【０１０４】
キャップ３は開口表示手段６を備える。
【０１０５】
開口表示手段６は、橋状要素１３によりベース壁１０と反対の側壁９の端部１４へ接続されるセキュリティリング手段１２を備える。セキュリティリング手段１２の上縁部６７に沿って連続的に設置される橋状要素１３の間に、例えば切り欠き６６により作られた弱い領域がある。スルーカットである切り欠き６６は、セキュリティリング手段１２とベース本体８の間に意図する分離のための領域を形成する。
【０１０６】
フラップ手段１６はセキュリティリング手段１２の下縁領域１５へ接続される。使用時、容器が最初に開放される場合、フラップ手段１６はキャップ３の内側へ曲げられ、フラップ手段１６は、橋上要素１３の破断を容易にするため、隣接手段１０５と相互作用し、従ってセキュリティリング手段１２のベース本体８からの分離を可能にする。
【０１０７】
図１７〜２０に図示されるキャップ３のバージョンで、フラップ手段１６は、キャップ３の円周に沿って配置される第１フラップ６８と第２フラップ６９を備える複数のフラップ２００を有する。
【０１０８】
第１フラップ６８は、２つの連続する第１フラップ６８の間に、第２フラップ６９が介在し、２つの連続する第２フラップ６９の間に第１フラップ６８が介在するように、下縁領域１５に沿って第２フラップ６９と交互に現れる。
【０１０９】
各第１フラップ６８は、第１周辺延長部Ｅ´及び第１横断寸法Ｆ´を有する第１フラップ部分１２１、及び第２周辺延長部Ｇ´と第２横断寸法Ｑ´を有する第２フラップ部分１２２を備える。
【０１１０】
第１横断寸法Ｆ´は第２横断寸法Ｑ´より大きい。
【０１１１】
各第１フラップ６９は周辺延長部Ｕ及び横断寸法Ｖを有する。
【０１１２】
周辺延長部Ｕは第１周辺延長部Ｅ´と第２周辺延長部Ｇ´の合計より大きい。
【０１１３】
横断寸法Ｖは第２横断寸法Ｑ´にほぼ等しい。
【０１１４】
図１８はリング状突起５１（それは図１７の断面平面ＸＶIII‐ＸＶIIIと交差しないため、二重破線で図示）に対する第１フラップ６８と第２フラップ６９の位置を示す。キャップ３が図１４の首部２と結合する場合、各第１フラップ６８は一対の隣接する隣接要素５の間の空間１７に設置され、各第２フラップ６９はリング状突起５１の下に存在する。
【０１１５】
第１フラップ部分１２１は隣接要素５の第２面６０と相互作用するように配置される第１活性表面１２６を備え、そして第２フラップ部分１２２は、隣接要素５の更なる第１面５９と相互作用するために、第１活性表面１２６に対し横に設置される第２活性表面１２５を備える。
【０１１６】
第２フラップ６９は、第２活性表面１２５にほぼ平行で、リング状突起５１の第１面５４と相互作用するように配置される、第３活性表面７０を備える。
【０１１７】
図１８に図示する位置から開始して、開口５０を開放するため、キャップ３が矢印Ｒで表示する方向に沿って回転する場合、セキュリティリング手段１２と複数のフラップ２００も、第１フラップ部分１２１が夫々の隣接要素５と接触する迄、キャップ３のベース本体８と共に回転する。
【０１１８】
この位置で、第１活性表面１２６は、セキュリティリング手段１２の更なる回転を防止するため、隣接要素５の第２面６０と連携する。キャップ３のベース本体８が回転継続中、セキュリティリング手段１２が阻止されるので、橋状要素１３へ作用する剪断応力が発生する。
【０１１９】
ねじ部１１１上でのベース本体８の回転により、キャップ３が首部２からねじ取られる場合、ベース本体８は、長手軸Ａに平行な方向へセキュリティリング手段１２から離れる。第２活性表面１２５と第３活性表面７０はセキュリティリング手段１２をベース本体８に対して軸方向に阻止するように、夫々更なる第１面５９と第１面５４と接触する。これにより、橋状要素１３に作用する引張り応力が発生する。
【０１２０】
上記剪断応力と引張り応力の組み合わせにより、橋状要素１３の迅速、かつ効果的な破断が容易になる。
【０１２１】
図１４〜１７及び２１に図示する首部２のバージョンで、リング状突起５１は、橋状要素１３の牽引を容易にするため、フラップ手段１６を阻止することができる大きな表面を提供する。これによりセキュリティリング手段１２の全円周に沿って、そして隣接要素５ではない引張り応力の分布が可能になる。
【０１２２】
リング状突起５１により、例えば各隣接要素５に近いコーナを形成する長手軸Ａに対し、セキュリティリング手段１２が非対称に変形することなく、楕状要素１３の破断を容易にすることが可能である。
【０１２３】
更に、リング状突起５１は、応力がこれにほぼ均等にかかり、橋状要素１２が実際一斉に破断できるように、棒状要素１３へ作用する引張り応力が分布することを可能にする。
【０１２４】
更に、リング状突起５１は、容器を例えば容器の製造そして／または充填線に沿って移動させるため、誘導及び運搬手段が相互作用する著しく大きい寸法を有する容器の領域を画定する。
【０１２５】
図１７を再度参照して、第１フラップ６８は第１フラップ部分１２１をほぼ垂直位置、即ち長手軸Ａにほぼ平行に保持するため、リング状突起５１の第２壁５３と連携する設置表面７４を備える。第２フラップ６９は長手軸Ａ方向に第１フラップ６８に対して傾斜する。
【０１２６】
図２０を参照して、第１フラップ６８と第２フラップ６９を備えるセキュリティリング手段１２の部分を示す。
【０１２７】
第２フラップ部分１２２と第２フラップ６９の間に、結合要素７１が介在する。結合要素は第１フラップ６８及び第２フラップ６９より薄く、柔軟な接続部分を形成する。結合要素７１は第１フラップ部分１２１から最も遠い第２フラップ部分１２２の１つの側面７２を第２フラップ６７の更なる側面７３へ結合する。
【０１２８】
結合要素７１は、使用時、第２フラップ６９が第１フラップ６８より大きい角度の長手軸Ａに対して傾斜するので、特に容器が開放される場合、第２フラップ６９が転倒するのを防止する。
【０１２９】
図１７〜２０に図示するキャップ３は、図７に図示するそれのように、首部へ、即ちリング状突起５１がなく、隣接要素５が口部４から直接伸びる首部へも取り付けられる。
【０１３０】
図１７〜２０を参照して記述したそれと異なるキャップ３は、図１４に図示する首部２と結合する。
【０１３１】
例えば、図２２に示すように、キャップ３の円周に沿って設置される第１フラップ７８と第２フラップ７９を備える複数フラップ２００を有するキャップ３が首部２と結合する。
【０１３２】
第１フラップ７８は、２つの連続する第１フラップ７８の間に、第２フラップ７９が挿入され、同様に２つの連続する第２フラップ７９の間に、第１フラップ７８が挿入されるように、下縁領域１５に沿って第２フラップ７９と交互に現れる。
【０１３３】
各第１フラップ７８はほぼ一定の横断寸法Ｆ１を有する。
【０１３４】
各第２フラップ７９はほぼ一定の更なる横断寸法Ｑ１を有する。
【０１３５】
横断寸法Ｆ１は更なる横断寸法Ｑ１より大きい。
【０１３６】
各第２フラップ７８は、図１７を参照して述べたそれらと類似の方法により、隣接要素５の第２面６０と相互作用するように配置される第１活性表面２２６を有する。
【０１３７】
各第２フラップ７９は、図１７を参照して記述したそれらと類似の方法により、リング状突起５１の第１面５４と、そして／または隣接要素５の更なる第１面５９と相互作用するように配置される第２活性表面２２５を備える。
【０１３８】
第１フラップ７９と、それに隣接する第２フラップ７９の間にも、図２０を参照して記述したタイプの結合要素７１が介在する。
【０１３９】
図２２に図示されるキャップ３は、図７に図示したそれらのように首部へ、即ちリング状突起５１がなく、隣接要素５が口部４から直接伸びる首部へも取り付けられる。又図２〜６及び図８〜１３を参照して記述したようなフラップ手段１６を備えるキャップ３が備えられる。
【０１４０】
複数の分離したフラップに代わり、別のバージョンで様々な高さのフラップ部分を備える連続フラップが存在する。例えば、図２１を参照して、開口表示手段６は、リング状で所定周辺延長部Ｌ１と所定高さＨ１を有する第１部分７５、及び更なる所定周辺延長部Ｌ２と、所定高さＨ１より大きい、更なる所定高さＨ２を有する第２部分７６を備える連続フラップ７４を備えるセキュリティリング手段１２を備える。各第１部分７５は、第１部分７５と第２部分７６が互いに交互になるように、２つの第２部分７６の間に介在する。
【０１４１】
更に、キャップが首部２と結合する場合、第２部分７６は空間１７に受容される。
【０１４２】
第１部分７５は図１７を参照して述べたそれらと類似の方法により、隣接要素５の第２面６０と相互作用するように配置される第１活性表面１２６を備える。
【０１４３】
第２部分７６は、図１７を参照して述べたそれらに類似の方法により、リング状突起５１の第１面５４、そして／または隣接要素５の更なる第１面５９と相互作用するように配置される第２活性表面１２５を備える。
【図面の簡単な説明】
【０１４４】
【図１】フラップ手段を備えるキャップ手段の軸部である。
【図２】隣接手段と連携するフラップ手段を示す開口表示手段の第１バージョンの分断図である。
【図３】隣接手段と連携するフラップ手段を示す開口表示手段の第２バージョンの分断図である。
【図４】隣接手段と連携するフラップ手段を示す開口表示手段の第３バージョンの分断図である。
【図５】隣接手段と連携するフラップ手段を示す開口表示手段の第４バージョンの分断図である。
【図６】隣接手段と連携するフラップ手段を示す開口表示手段の第５バージョンの分断図である。
【図７】容器首部の上面図である。
【図８】容器首部と結合するキャップ手段を示す分断軸断面である。
【図９】フラップ手段の第１バージョンを備えるキャップ手段部分の軸断面である。
【図１０】フラップ手段の第２バージョンを備えるキャップ手段部分の軸断面である。
【図１１】フラップ手段の第３バージョンを備えるキャップ手段部分の軸断面である。
【図１２】容器首部と結合するキャップ手段のあるバージョンを示す分断軸断面である。
【図１３】隣接手段と連携するフラップ手段を示す分断上面図である。
【図１４】隣接手段を備える容器首部の下からの斜視図である。
【図１５】図１４の首部の軸断面である。
【図１６】図１５に示す平面ＸＶＩ ‐ＸＶＩ に沿った断面である。
【図１７】あるバージョンによるキャップ手段が結合する図１４の首部を示す、一部拡大した、一部切断した正面図である。
【図１８】キャップ手段が首部に結合する場合、隣接手段に対する、キャップ手段に備えられる、フラップ手段位置を示す、図１７に示す平面ＸＶIII‐ＸＶIIIに沿った断面である。
【図１９】図１８のフラップ手段の部分断面図である。
【図２０】図１９のフラップ手段の斜視図である。
【図２１】更なるバージョンによるキャップ手段が結合する図１４の首部の概略正面図である。
【図２２】また更なるバージョンによるフラップ手段を示す図１９のそれのような図である。
【符号の説明】
【０１４５】
1：密閉手段
2：首部
3：キャップ
4：口部
5：隣接要素
６：開口表示手段
7：ねじ部
8：ベース本体
9：側壁
10：ベース壁
12：セキュリティリング手段
13：橋状要素
14：端部
15：下縁領域
16：フラップ手段
17：空間
18：拡張部分
49：壁
50：開口
51：リング状突起
52；第１壁
53：第２壁
54：第１面
56：カラー
58：更なる第１壁
59：更なる第１面
60：第２面
62：第４壁
63：接続壁
68：第１フラップ
69：第２フラップ
70：第３活性表面
77：面手段
100：フラップ
105：隣接手段
111：ねじ部
125：第２活性表面
126：第１活性表面
【図１】
2009524555.tif 000003
【図２】
2009524555.tif 000004
【図３】
2009524555.tif 000005
【図４】
2009524555.tif 000006
【図５】
2009524555.tif 000007
【図６】
2009524555.tif 000008
【図７】
2009524555.tif 000009
【図８】
2009524555.tif 000010
【図９】
2009524555.tif 000011
【図１０】
2009524555.tif 000012
【図１１】
2009524555.tif 000013
【図１２】
2009524555.tif 000014
【図１３】
2009524555.tif 000015
【図１４】
2009524555.tif 000016
【図１５】
2009524555.tif 000017
【図１６】
2009524555.tif 000018
【図１７】
2009524555.tif 000019
【図１８】
2009524555.tif 000020
【図１９】
2009524555.tif 000021
【図２０】
2009524555.tif 000022
【図２１】
2009524555.tif 000023
【図２２】
2009524555.tif 000024
【手続補正書】
【提出日】平成21年2月20日(2009.2.20)
【手続補正１】
【補正対象書類名】特許請求の範囲
【補正対象項目名】全文
【補正方法】変更
【補正の内容】
【特許請求の範囲】
【請求項１】
開口（５０）を画定する壁（４９）を備える首部（２）、及び前記首部（２）と結合可能なキャップ手段（３）の開口表示手段（６）と相互作用するように配置され、前記壁（４９）から周辺へ伸びるリング状突起（５１）を備え、更に前記リング状突起（５１）から突出する隣接要素手段（５）を備える隣接手段（１０５）を備える首部（２）を備える容器手段であって、
前記隣接要素手段は、前記リング状突起（５１）から軸方向に突出することなく、前記リング状突起（５１）から放射状に延び、一定角度ピッチで設置される、４つの異なる隣接要素（５）から構成されることを特徴とする容器手段。
【請求項２】
前記隣接要素手段（５）は、前記開口（５０）により形成される平面に対して、傾斜した面手段（６０）を備えることを特徴とする、請求項１に記載の容器手段。
【請求項３】
前記面手段（６０）は前記平面にほぼ垂直であることを特徴とする、請求項２に記載の容器手段。
【請求項４】
前記隣接手段（１０５）は前記開口（１５０）により形成される平面とほぼ平行に配置される更なる面手段（７７）を備えることを特徴とする、請求項１〜３のいずれか１項に記載の容器手段。
【請求項５】
前記更なる面手段（７７）は、前記リング状突起（５１）に形成される第１面手段（５４）を備えることを特徴とする請求項４に記載の容器手段。
【請求項６】
前記第１面手段（５４）は、円形リングの形状を有することを特徴とする、請求項５に記載の容器手段。
【請求項７】
前記更なる面手段（７７）は、前記隣接要素手段（５）に形成される第２面手段（５９）を備えることを特徴とする、請求項４〜６のいずれか１項に記載の容器手段。
【請求項８】
前記第１面手段（５４）と前記第２面手段（５９）は、ほぼ同一平面であることを特徴とする、請求項５又は６に付属するような、請求項７に記載の容器手段。
【請求項９】
前記隣接要素手段（５）は、前記首部（２）の長手軸（Ａ）と平行に測定した前記リング状突起（５１）の更なる最大厚さ（Ｔ）にほぼ等しい、前記長手軸（Ａ）と平行に測定した最大厚さ（Ｓ）を有することを特徴とする、請求項１〜８のいずれか１項に記載の容器手段。
【請求項１０】
２つの連続した隣接要素（５）の間に、空間手段（１７）が画定されることを特徴とする、請求項1〜９のいずれか１項に記載の容器手段。
【請求項１１】
開口（５０）を画定する壁（４９）を備える首部（２）、前記壁（４９）から周辺に伸びるリング状突起（５１）と前記リング状突起（５１）から突出する隣接要素手段（５）とを備える隣接手段（１０５）、を備え、更に、前記隣接要素手段（５）の面手段（６０）と相互作用するように配置される活性表面手段（１２６；２２６；２６）と前記隣接手段（１０５）の更なる面手段（７７）と相互作用するように配置される更なる活性表面手段（１２５；２２５；７０；２５；２３）とを備える開口表示手段（６）を備えるキャップ手段（３）を備える容器手段であって、
前記隣接要素手段は、前記リング状突起（５１）から軸方向に突出することなく、前記リング状突起（５１）から放射状に延び、一定角度ピッチで設置される、４つの異なる隣接要素（５）から構成されることを特徴とする容器手段。
【請求項１２】
前記隣接要素手段（５）は前記面手段（６０）を備えることを特徴とする、請求項１１に記載の容器手段。
【請求項１３】
前記面手段（６０）は前記開口（５０）により形成される平面に対して傾斜することを特徴とする、請求項１１又は１２に記載の容器手段。
【請求項１４】
前記面手段（６０）は前記平面にほぼ垂直であることを特徴とする、請求項１３に記載の容器手段。
【請求項１５】
前記更なる面手段（７７）は前記開口（５０）により形成される平面にほぼ平行に設置されることを特徴とする、請求項１１〜１４のいずれか１項に記載の容器手段。
【請求項１６】
前記更なる面手段（７７）は前記リング状突起（５１）に得られる第１面手段（５４）を備えることを特徴とする、請求項１１〜１５のいずれか１項に記載の容器手段。
【請求項１７】
前記第１面手段（５４）は円形リングの形状を有することを特徴とする、請求項１６に記載の容器手段。
【請求項１８】
前記更なる面手段（７７）は前記隣接要素手段（５）に得られる第２面手段（５９）を備えることを特徴とする、請求項１１〜１７のいずれか１項に記載の容器手段。
【請求項１９】
前記第１面手段（５４）と前記第２面手段（５９）はほぼ同一平面であることを特徴とする、請求項１６または１７に付属するような、請求項１８に記載の容器手段。
【請求項２０】
前記隣接要素（５）は、前記首部（２）の長手軸（Ａ）に平行に測定した前記リング状突起（５１）の更なる最大厚さ（Ｔ）にほぼ等しい、前記長手軸（Ａ）に平行に測定した最大厚さ（５）を有することを特徴とする、請求項１１〜１９のいずれか１項に記載の容器手段。
【請求項２１】
前記複数の隣接要素の２つの連続した隣接要素（５）の間に、空間手段（１７）が画定されることを特徴とする、請求項１１〜２０のいずれか１項に記載の容器手段。
【請求項２２】
前記活性表面手段（１２６；２２６；２６）と前記更なる活性表面手段（１２５；２２５；７０；２５；２３）は前記開口表示手段（６）のフラップ手段（１６）に備えられることを特徴とする、請求項１１〜２１のいずれか１項に記載の容器手段。
【請求項２３】
前記フラップ手段（１６）は前記開口表示手段（６）の外縁部（１５）に沿って伸び、前記フラップ手段（１６）は、少なくとも１つの部分（１２２；６９；７５；７９；２０；２２；２８）と少なくとも１つの更なる部分（１２１；７６；７８；２１）を備え、前記外縁部（１５）を横に測定した前記少なくとも１つの更なる部分（１２１；７６；７８；２１）の寸法（Ｆ´；Ｈ２；Ｆ１；Ｆ）は前記外縁部（１５）を横に測定した前記少なくとも１つの部分（１２２；６９；７５；７９；２０；２２；２８）の対応する更なる寸法（Q´；V；H１；Q１；C；Q；C１）より大きいことを特徴とする、請求項２２に記載の容器手段。
【請求項２４】
前記少なくとも１つの部分（１２２；６９；７５；７９；２０；２２；２８）は前記更なる活性表面手段（１２５；２２５；７０；２５；２３）を備えることを特徴とする、請求項２３に記載の容器手段。
【請求項２５】
前記少なくとも１つの更なる部分（１２１；７６；７８；２１）は前記活性表面手段（１２６；２２６；２６）を備えることを特徴とする、請求項２３又は２４に記載の容器手段。
【請求項２６】
前記フラップ手段（１６）は、前記開口表示手段（６）の外縁部（１５）に沿って伸びる、少なくとも１つの第１フラップ（６８）と少なくとも１つの第２フラップ（６９）を備え、前記少なくとも１つの第１フラップ（６８）は部分（１２２）と更なる部分（１２１）を備え、前記外縁部（１５）を横に測定した前記更なる部分（１２１）の寸法（F´）は、前記外縁部（１５）を横に測定した、前記部分（１２２）の更なる寸法（Q´）より大きく、前記第２フラップ（６９）は前記外縁部（１５）を横に測定した、ほぼ一定のまた更なる寸法（Ｖ）を有することを特徴とする請求項２２に記載の容器手段。
【請求項２７】
前記また更なる寸法（Ｖ）は前記寸法（Ｆ´）より小さいことを特徴とする、請求項２６に記載の容器手段。
【請求項２８】
前記また更なる寸法（Ｖ）は前記更なる寸法（Ｑ´）にほぼ等しいことを特徴とする、請求項２６又は２７に記載の容器手段。
【請求項２９】
前記部分（１２２）は前記更なる活性表面手段の第１活性表面手段（１２５）を備えることを特徴とする、請求項２６〜２８のいずれか１項に記載の容器手段。
【請求項３０】
前記更なる部分（１２１）は前記活性表面手段（１２６）を備えることを特徴とする、請求項２６〜２９のいずれか１項に記載の容器手段。
【請求項３１】
前記少なくとも１つの第２フラップ（６９）は前記更なる活性表面手段の第２活性表面手段（７０）を備えることを特徴とする、請求項２６〜３０のいずれか１項に記載の容器手段。
【請求項３２】
前記少なくとも１つの第１フラップは複数の分離した第１フラップ（６８）を備えることを特徴とする、請求項２６〜３１のいずれか１項に記載の容器手段。
【請求項３３】
前記少なくとも１つの第２フラップは複数の分離した第２フラップ（６９）を備えることを特徴とする、請求項２６〜３２のいずれか１項に記載の容器手段。
【請求項３４】
前記複数の第２フラップの一対の連続した第２フラップ（６９）の間に、前記複数の第１フラップの第１フラップ（６８）が介在することを特徴とする、請求項３２に付属するような、請求項３３に記載の容器手段。
【請求項３５】
前記少なくとも１つの第１フラップ（６８）と前記少なくとも１つの第２フラップ（６９）の間に、前記フラップ手段（１６）が転倒することを防止するように配置される結合要素手段（７１）が備えられることを特徴とする、請求項２６〜３４のいずれか１項に記載の容器手段。
【請求項３６】
前記結合要素手段（７１）は柔軟な要素を備えることを特徴とする、請求項３５に記載の容器手段。
【請求項３７】
前記フラップ手段（１６）は第１フラップ手段（７８）と第２フラップ手段（７９）を備え、前記第１フラップ手段（７８）と前記第２フラップ手段（７９）は互いに異なり、前記第１フラップ手段（７８）は外縁部から横に測定して、ほぼ一定の寸法（Ｆ１）を有し、そして前記第２フラップ手段（７９）は前記外縁部（１５）を横に測定して、ほぼ一定の更なる寸法（Ｑ１）を有し、前記寸法（Ｆ１）は前記更なる寸法（Ｑ１）より大きいことを特徴とする、請求項２２に記載の容器手段。
【請求項３８】
前記第１フラップ手段（７８）は前記活性表面手段（２２６）を備えることを特徴とする、請求項３７に記載の容器手段。
【請求項３９】
前記第２フラップ手段（７９）は前記更なる活性表面手段（２２５）を備えることを特徴とする、請求項３７または３８に記載の容器手段。
【請求項４０】
前記第１フラップ手段は複数の異なる第１フラップ（７８）を備えることを特徴とする、請求項３７〜３９のいずれか１項に記載の容器手段。
【請求項４１】
前記第２フラップ手段は複数の異なる第２フラップ（７９）を備えることを特徴とする、請求項３７〜４０のいずれか１項に記載の容器手段。
【請求項４２】
前記複数の第２フラップの一対の連続する第２フラップ（７９）の間に、前記複数の第１フラップの第１フラップ（７８）が介在することを特徴とする、請求項４０に付属するような、請求項４１に記載の容器手段。
【請求項４３】
前記少なくとも１つの第１フラップ（７８）と前記少なくとも１つの第２フラップ（７９）の間に、前記フラップ手段（６１）が転倒することを防止するように配置される結合要素手段（７１）が介在することを特徴とする、請求項３７〜４２のいずれか１項に記載の容器手段。
【請求項４４】
前記結合要素手段（７１）は柔軟要素を備えることを特徴とする、請求項４３に記載の容器手段。
【請求項４５】
前記フラップ手段（１６）は複数の異なるフラップ（２００；１００）を備えることを特徴とする、請求項２２〜３７のいずれか１項に記載の容器手段。
【請求項４６】
前記フラップ手段（１６）は連続したフラップ（７４）を備えることを特徴とする、請求項２２〜３７のいずれか１項に記載の容器手段。
【請求項４７】
前記活性表面手段（１２６；２２６；２６）は、前記キャップ手段（３）が前記首部（２）から除去される場合、前記開口表示手段（１６）と前記キャップ手段（３）の本体（８）の間に挿入される破断可能な橋状手段（１３）に剪断応力を発生させることを特徴とする、請求項１１〜４６のいずれか１項に記載の容器手段。
【請求項４８】
前記更なる活性表面手段（１２５；２２５；７０；２５；２３）は、前記キャップ手段（３）が前記首部（２）から除去される場合、前記開口表示手段（１６）と前記キャップ手段（３）の本体（８）の間に挿入される破断可能な橋状手段（１３）に引張り応力を発生させることを特徴とする、請求項１１〜４７のいずれか１項に記載の容器手段。
【請求項４９】
前記開口表示手段（６）の外縁部（１５）に沿って伸び、そして容器手段の首部（２）と結合する隣接手段（５）と相互作用するように配置されるフラップ手段（１６）を備える開口表示手段（６）を備えるキャップ手段であって、前記フラップ手段（１６）は少なくとも１つの第１フラップ（６８）と少なくとも1つの第２フラップ（６９）を備え、前記少なくとも１つの第１フラップ（６８）は１つの部分（１２２）と更なる部分（１２１）を備え、前記外縁部（１５）を横に測定した前記更なる部分（１２１）の寸法（Ｆ´）は前記外縁部（１５）を横に測定した前記部分（１２２）の更なる寸法（Ｑ´）より大きく、前記第２フラップ（６９）は、前記外縁部（１５）を横に測定した、ほぼ一定のまた更なる寸法（Ｖ）を備えることを特徴とするキャップ手段。
【請求項５０】
前記また更なる寸法（Ｖ）は前記寸法（Ｆ´）より小さいことを特徴とする、請求項４９に記載のキャップ手段。
【請求項５１】
前記また更なる寸法（Ｖ）は前記更なる寸法（Ｑ´）にほぼ等しいことを特徴とする、請求項４９または５０に記載のキャップ手段。
【請求項５２】
前記少なくとも１つの第１フラップは複数の異なる第１フラップ（６８）を備えることを特徴とする、請求項４９〜５１のいずれか１項に記載のキャップ手段。
【請求項５３】
前記少なくとも１つの第２フラップは複数の異なる第２フラップ（６９）を備えることを特徴とする、請求項４９〜５２のいずれか１項に記載のキャップ手段。
【請求項５４】
前記複数の第２フラップの一対の連続した第２フラップ（６９）の間に、前記複数の第１フラップの第１フラップ（６８）が介在することを特徴とする、請求項５２に付属するような請求項５３に記載のキャップ手段。
【請求項５５】
前記少なくとも１つの第１フラップ（６８）と前記少なくとも１つの第２フラップ（６９）の間に、前記手段（１６）が転倒することを防止するように配置される、結合要素手段（７１）が介在することを特徴とする、請求項４９〜５４のいずれか１項に記載のキャップ手段。
【請求項５６】
前記結合要素手段（７１）は柔軟な要素を備えることを特徴とする、請求項５５に記載のキャップ手段。
【請求項５７】
前記部分（１２１）は、前記キャップ手段（３）が前記首部（２）から除去される場合、前記開口表示手段（１６）と前記キャップ手段（３）の本体（８）の間に介在する破断可能な橋状手段（１３）に剪断応力を発生させるように配置される活性表面手段（１２６）を備えることを特徴とする、請求項４９〜５６のいずれか１項に記載のキャップ手段。
【請求項５８】
前記活性表面手段（１２６）は前記外縁部（１５）に対して横に配置されることを特徴とする、請求項５７に記載のキャップ手段。
【請求項５９】
前記活性表面手段（１２６）は前記外縁部（１５）に、ほぼ垂直に配置されることを特徴とする、請求項５８に記載のキャップ手段。
【請求項６０】
前記更なる部分（１２２）は、前記キャップ手段（３）が前記首部（２）から除去される場合、前記開口表示手段（１６）と前記キャップ手段（３）の本体（８）の間に介在する破断可能な橋状手段（１３）に引張り応力を発生させるように配置される更なる活性表面手段（１２５）を備えることを特徴とする、請求項３９〜５９のいずれか１項に記載のキャップ手段。
【請求項６１】
前記更なる活性表面手段（１２５）は前記外縁部（１５）とほぼ平行に設置されることを特徴とする、請求項６０に記載のキャップ手段。
【請求項６２】
前記少なくとも１つの第２フラップ（６９）は、前記キャップ手段（３）が前記首部（２）から除去される場合、前記開口表示手段（１６）と前記キャップ手段（３）の本体（８）の間に介在する破断可能な橋状手段（１３）に引張り応力を発生させるように配置される、また更なる活性表面手段（７０）を備えることを特徴とする、請求項３９〜６１のいずれか１項に記載のキャップ手段。
【請求項６３】
前記また更なる活性表面手段（７０）は前記外縁部（１５）にほぼ平行に配置されることを特徴とする、請求項６２に記載のキャップ手段。
【請求項６４】
容器手段首部（２）と結合する隣接手段（１０５）と相互作用するように配置されるフラップ手段（１６）が突出する外縁部（１５）を備える開口表示手段（６）を備えるキャップ手段であって、前部フラップ手段（１６）は第１フラップ手段（７８）と第２フラップ手段（７９）を備え、前記第１フラップ手段（７８）と前記第２フラップ手段（７９）は互いに異なり、前記第１フラップ手段（７８）は前記外縁部（１５）を横に測定して、ほぼ一定の寸法（Ｆ１）を有し、前記第２フラップ手段（７９）は、前記外縁部（１５）から横に測定して、ほぼ一定の更なる寸法（Ｑ１）を有し、前記寸法（Ｆ１）は前記更なる寸法（Ｑ１）より大きいことを特徴とするキャップ手段。
【請求項６５】
前記第１フラップ手段は複数の異なる第１フラップ（７８）を備えることを特徴とする、請求項６４に記載のキャップ手段。
【請求項６６】
前記第２フラップ手段は複数の異なる第２フラップ（７９）を備えることを特徴とする、請求項６４又は６５に記載のキャップ手段。
【請求項６７】
前記複数の第１フラップの一対の連続した第１フラップ（７８）の間に、前記複数の第２フラップの第２フラップ（７９）が介在することを特徴とする、請求項６５に付属するような請求項６６に記載のキャップ手段。
【請求項６８】
前記第１フラップ手段（７８）と前記第２フラップ手段（７９）の間に、前記フラップ手段（１６）が転倒することを防止するように配置される結合要素手段（７１）が介在することを特徴とする、請求項６４〜６７のいずれか１項に記載のキャップ手段。
【請求項６９】
前記結合要素手段（７１）は柔軟な要素を備えることを特徴とする、請求項６８に記載のキャップ手段。
【請求項７０】
前記第１フラップ手段（７８）は、前記キャップ手段（３）が前記首部（２）から除去される場合、前記開口表示手段（１６）と前記キャップ手段（３）の本体（８）間に介在する破断可能な橋状手段（１３）に剪断応力を発生させるように配置される活性表面手段（２２６）を備えることを特徴とする、請求項６４〜６９のいずれか１項に記載のキャップ手段。
【請求項７１】
前記活性表面手段（２２６）は前記外縁部（１５）に横に配置されることを特徴とする、請求項７０に記載のキャップ手段。
【請求項７２】
前記活性表面手段（２２６）は前記外縁部（１５）にほぼ垂直に設置されることを特徴とする、請求項７１に記載のキャップ手段。
【請求項７３】
前記第２フラップ手段（７９）は、前記キャップ手段（３）が前記首部（２）から除去される場合、前記開口表示手段（１６）と前記キャップ手段（３）の本体（８）の間に挿入される破断可能な橋状手段（１３）に引張り応力を発生させるように配置される、更なる活性表面手段（２２５）を備えることを特徴とする、請求項６４〜７２のいずれか１項に記載のキャップ手段。
【請求項７４】
前記更なる活性表面手段（２２５）は前記外縁部（１５）にほぼ平行に設置されることを特徴とする、請求項７３に記載のキャップ手段。
【請求項７５】
前記開口表示手段（６）の外縁部（１５）の一部に沿って伸び、容器手段の首部（２）と結合する隣接手段（５）と相互作用するように配置されるフラップ手段（１６）を備える開口表示手段（６）を備えるキャップ手段であって、前記フラップ手段（１６）は、前記外縁部（１５）に沿って互いに平行な、少なくとも１つの第１部分（２０）、少なくとも１つの第２部分（２１）、及び少なくとも１つの第３部分（２２）を備え、前記外縁部（１５）を横に測定した前記少なくとも１つの第２部分（２１）の寸法（Ｆ）は、前記外縁部（１５）を横に測定した前記少なくとも１つの第１部分（２０）の対応する更なる寸法（Ｃ）より、そして前記外縁部（１５）を横に測定した前記少なくとも１つの第３部分（２２）の対応するまた更なる寸法（Ｑ）より大きいキャップ手段。
【請求項７６】
前記少なくとも１つの第２部分（２１）は、前記少なくとも１つの第１部分（２０）と前記少なくとも１つの第３部分（２２）の間に介在することを特徴とする、請求項７５に記載のキャップ手段。
【請求項７７】
前記少なくとも１つの第１部分（２０）と前記少なくとも１つの第３部分（２２）は、前記隣接手段（５）の一対の連続した隣接要素（５ａ、５ｂ）と同時に相互作用するような形状であることを特徴とする、請求項７６に記載のキャップ手段。
【請求項７８】
前記少なくとも１つの第３部分（２２）は、前記隣接手段（５）に対して、前記少なくとも１つの第３部分（２２）を設置するように配置される設置手段（２９）を備えることを特徴とする、請求項７５〜７７のいずれか１項に記載のキャップ手段。
【請求項７９】
前記設置手段は、前記少なくとも１つの第３部分（２２）に前記首部（２）に得られる取出し口から最も遠い前記隣接手段（５）の領域（２４）と相互作用させるように配置される傾斜部（２９）を備えることを特徴とする、請求項７８に記載のキャップ手段。
【請求項８０】
前記傾斜部（２９）は前記領域（２４）と相互作用するように配置される、前記少なくとも１つの第３部分（２２）の活性表面（２５）上に得られることを特徴とする、請求項７９に記載のキャップ手段。
【請求項８１】
前記傾斜部（２９）は、前記キャップ手段（３）が前記首部（２）からねじ取られる意図した移動方向（Ｈ）に、前記少なくとも１つの第２部分（２１）に先行することを特徴とする、請求項７９又は８０に記載のキャップ手段。
【請求項８２】
前記少なくとも１つの第２部分（２１）は、前記少なくとも１つの第１部分（２０）の更なる厚さと異なり、そして前記少なくとも１つの第３部分（２２）のまた更なる厚さと異なる厚さを有することを特徴とする、請求項７５〜８１のいずれか１項に記載のキャップ手段。
【請求項８３】
前記厚さは、前記外縁部（１５）から離れるほど増加することを特徴とする請求項８２に記載のキャップ手段。
【請求項８４】
前記厚さは前記更なる厚さより、そして前記または更なる厚さより大きいことを特徴とする、請求項８２又は８３に記載のキャップ手段。
【請求項８５】
前記更なる厚さはほぼ一定であることを特徴とする、請求項８２〜８４のいずれか１項に記載のキャップ手段。
【請求項８６】
前記また更なる厚さはほぼ一定であることを特徴とする、請求項８２〜８５のいずれか１項に記載のキャップ手段。
【請求項８７】
前記少なくとも１つの第２部分（２１）は、前記少なくとも１つの第１部分（２０）と前記少なくとも１つの第３部分（２２）に対して一側面から突出するような形状であることを特徴とする、請求項８２〜８６のいずれか１項に記載のキャップ手段。
【請求項８８】
前記少なくとも１つの第２部分（２１）は、前記少なくとも１つの第１部分（２０）と前記少なくとも１つの第３部分（２２）に対して、前記側面と反対の更なる側面から、突出することを特徴とする、請求項８７に記載のキャップ手段。
【請求項８９】
前記フラップ手段（１６）は、前記キャップ手段（３）が前記首部（２）上にねじ込まれる意図した回転方向（Ｎ）に、前記隣接手段（５）上での前記フラップ手段（１６）の滑動を容易にするように配置される密閉促進手段（３２、３４）を備えることを特徴とする、請求項７５〜８８のいずれか１項に記載のキャップ手段。
【請求項９０】
前記密閉促進手段（３２、３４）は前記少なくとも１つの第２部分（２１）上に得られる更なる傾斜部分（３２）を備えることを特徴とする、請求項８９に記載のキャップ手段。
【請求項９１】
前記更なる傾斜部分（３２）は前記外縁部（１５）に横に設置される前記少なくとも１つの第２部分（２１）の側壁（３１）上に得られることを特徴とする、請求項９０に記載のキャップ手段。
【請求項９２】
前記少なくとも１つの第２部分（２１）は前記側壁（３１）と反対の更なる側壁（３０）を備えることを特徴とする、請求項９１に記載のキャップ手段。
【請求項９３】
前記側壁（３１）は前記意図した回転方向（Ｎ）に沿って前記更なる側壁（３０）に先行するように設置されることを特徴とする、請求項９２に記載のキャップ手段。
【請求項９４】
前記密閉促進手段（３２、３４）は前記少なくとも１つの第１部分（２０）上に得られる、また更なる傾斜部分（３４）を備えることを特徴とする、請求項８９〜９３のいずれか１項に記載のキャップ手段。
【請求項９５】
前記また更なる傾斜部分（３４）は前記外縁部（１５）に横に設置される前記少なくとも１つの第１部分（２０）のまた更なる側壁（３３）上に得られることを特徴とする、請求項９４に記載のキャップ手段。
【請求項９６】
前記また更なる側壁（３３）は前記意図した回転方向（Ｎ）に沿って前記少なくとも１つの第２部分（２１）に先行するように設置されることを特徴とする、請求項９５に記載のキャップ手段。
【請求項９７】
請求項７５〜９６のいずれか１項に記載のキャップ手段であって、更に前記開口表示手段（６）を前記キャップ手段の本体（８）へ接続するように配置される複数の破断可能な要素（１３）を備え、前記少なくとも１つの第２部分（２１）は前記複数の破断可能な要素の２つの隣接する破断可能な要素（１３）の間に介在するキャップ手段。
【請求項９８】
前記開口表示手段（６）の外縁部（１５）の一部に沿って伸び、容器手段の首部（２）と結合する隣接手段（５）と相互作用するように配置されるフラップ手段（１６）を備える開口表示手段（６）を備えるキャップ手段であって、前記フラップ手段（１６）は前記外縁部（１５）に沿って互いに平行な、少なくとも１つの第１部分（２０）と少なくとも１つの第２部分（２１）を備え、前記外縁部（１５）を横に測定した前記少なくとも１つの第２部分（２１）の寸法（Ｆ）は、前記外縁部（１５）を横に測定した前記少なくとも１つの第１部分（２０）の対応する更なる寸法（Ｃ）より大きく、前記少なくとも１つの第１部分（２０）は、前記キャップ手段（３）が前記首部（２）上でねじ込まれる意図した回転方向（Ｎ）に前部少なくとも１つの第２部分（２１）に先行するキャップ手段。
【請求項９９】
前記少なくとも１つの第１部分（２０）と前記少なくとも１つの第２部分（２２）は前記隣接手段（５）の一対の連続した隣接要素（５ｃ、５ｄ）と同時に相互作用するような形状であることを特徴とする、請求項９８に記載のキャップ手段。
【請求項１００】
前記少なくとも１つの第２部分（２１）の厚さは前記少なくとも１つの第１部分（２０）の更なる厚さと異なることを特徴とする、請求項９８又は９９に記載のキャップ手段。
【請求項１０１】
前記厚さは前記外縁部（１５）から離れるほど増加することを特徴とする、請求項１００に記載のキャップ手段。
【請求項１０２】
前記厚さは前記更なる厚さより大きいことを特徴とする、請求項１００又は１０１に記載のキャップ手段。
【請求項１０３】
前記更なる厚さはほぼ一定であることを特徴とする、請求項１００〜１０２のいずれか１項に記載のキャップ手段。
【請求項１０４】
前記少なくとも１つの第２部分（２１）は前記少なくとも１つの第１部分（２０）に対して１つの側面から突出するような形状であることを特徴とする、請求項１００〜１０３のいずれか１項に記載のキャップ手段。
【請求項１０５】
前記少なくとも１つの第２部分（２１）は前記少なくとも１つの第１部分（２０）に対して、前記側面と反対の更なる側面から突出するような形状であることを特徴とする、請求項１０４に記載のキャップ手段。
【請求項１０６】
前記フラップ手段（１６）は前記意図した回転方向（Ｎ）に前記隣接手段（５）上での前記フラップ手段（１６）の滑動を容易にするように配置される密閉促進手段（３２、３４）を備えることを特徴とする、請求項１００〜１０５のいずれか１項に記載のキャップ手段。
【請求項１０７】
前記密閉促進手段（３２、３４）は前記少なくとも１つの第２部分（２１）上に得られる傾斜部分（３２）を備えることを特徴とする、請求項１０６に記載のキャップ手段。
【請求項１０８】
前記傾斜部分（３２）は前記外縁部（１５）に横に設置される前記少なくとも１つの第２部分（２１）の側壁（３１）上に得られることを特徴とする、請求項１０７に記載のキャップ手段。
【請求項１０９】
前記少なくとも１つの第２部分（２１）は前記側壁（３１）と反対の更なる側壁（３０）を備えることを特徴とする、請求項１０８に記載のキャップ手段。
【請求項１１０】
前記側壁（３１）は前記意図した回転方向（Ｎ）に沿って、前記更なる側壁（３０）に先行するように設置されることを特徴とする、請求項１０９に記載のキャップ手段。
【請求項１１１】
前記密閉促進手段（３２、３４）は前記少なくとも１つの第１部分（２０）上に得られる更なる傾斜部分（３４）を備えることを特徴とする、請求項１０６〜１１０のいずれか１項に記載のキャップ手段。
【請求項１１２】
前記更なる傾斜部分（３４）は前記外縁部（１５）に横に設置される前記少なくとも１つの第１部分（２０）のまた更なる側壁（３３）上に得られることを特徴とする、請求項１１１に記載のキャップ手段。
【請求項１１３】
前記また更なる側壁（３３）は前記意図した回転方向（Ｎ）に沿って前記少なくとも１つの第２部分（２１）に先行するように設置されることを特徴とする、請求項１１２に記載のキャップ手段。
【請求項１１４】
請求項１００〜１１３のいずれか１項に記載のキャップ手段であって、更に前記開口表示手段（６）を前記キャップ手段の本体（８）へ接続するように配置される複数の破断可能な要素（１３）を備え、前記少なくとも１つの第２部分（２１）は前記複数の破断可能な要素の２つの隣接する破断可能な要素（１３）の間に介在するキャップ手段。
【請求項１１５】
前記開口表示手段（６）の外縁部（１５）に沿って伸び、容器手段の首部（２）と結合する隣接手段（５）と相互作用するように配置されるフラップ手段（１６）を備える開口表示手段（６）を備えるキャップ手段であって、前記フラップ手段（１６）は前記外縁部（１５）に沿って互いに平行な、少なくとも１つの部分（２１）と少なくとも１つの更なる部分（２２）を備え、前記外縁部（１５）を横に測定した前記少なくとも１つの部分（２１）の寸法（Ｆ）は、前記外縁部（１５）を横に測定した前記少なくとも１つの更なる部分（２２）の対応する更なる寸法（Ｑ）より大きく、前記少なくとも１つの更なる部分（２２）は前記隣接手段（５）に対して前記少なくとも１つの更なる部分（２２）を設置するように配置される設置手段（２９）を備えるキャップ手段。
【請求項１１６】
前記設置手段は、前記少なくとも１つの更なる部分（２２）を前記首部（２）に作られる取出し口から最も遠い前記隣接手段（５）の領域（２４）と相互作用させるように配置される傾斜部（２９）を備えることを特徴とする、請求項１１５に記載のキャップ手段。
【請求項１１７】
前記傾斜部（２９）は、前記領域（２４）と相互作用するように配置される前記少なくとも１つの更なる部分（２２）の活性表面（２５）上に得られることを特徴とする、請求項１１６に記載のキャップ手段。
【請求項１１８】
前記傾斜部（２９）は、前記キャップ手段（３）が前記首部（２）からねじ取られる意図した移動方向（Ｈ）に前記少なくとも１つの部分（２１）に先行することを特徴とする、請求項１１６又は１１７に記載のキャップ手段。
【請求項１１９】
前記少なくとも１つの第１部分（２１）は前記少なくとも１つの更なる部分（２２）の更なる厚さと異なる厚さを有することを特徴とする、請求項１１５〜１１８のいずれか１項に記載のキャップ手段。
【請求項１２０】
前記厚さは前記外縁部（１５）から離れるほど増加することを特徴とする、請求項１１９に記載のキャップ手段。
【請求項１２１】
前記厚さは前部更なる厚さより大きいことを特徴とする、請求項１１９又は１２０に記載のキャップ手段。
【請求項１２２】
前記更なる厚さはほぼ一定であることを特徴とする、請求項１１９〜１２１のいずれか１項に記載のキャップ手段。
【請求項１２３】
前記少なくとも１つの部分（２１）は前記少なくとも１つの更なる部分（２２）に対して１つの側面から突出するように配置されることを特徴とする、請求項１１９〜１２２のいずれか１項に記載のキャップ手段。
【請求項１２４】
前記少なくとも１つの部分（２１）は前記少なくとも１つの更なる部分（２２）に対して前記側面と反対にある更なる側面から突出するように配置されることを特徴とする、請求項１２３に記載のキャップ手段。
【請求項１２５】
前記フラップ手段（１６）は、前記キャップ手段（３）が前記首部（２）上でねじ込まれる意図した回転方向（Ｎ）に前記隣接手段（５）上での前記フラップ手段（１６）の滑動を容易にするように配置される密閉促進手段（３２）を備えることを特徴とする、請求項１１５〜１２４のいずれか１項に記載のキャップ手段。
【請求項１２６】
前記密閉促進手段（３２）は前記少なくとも１つの部分（２１）上に得られる傾斜部分（３２）を備えることを特徴とする、請求項１２５に記載のキャップ手段。
【請求項１２７】
前部傾斜部分（３２）は前記外縁部（１５）に横に設置した前記少なくとも１つの部分（２１）の側壁（３１）上に得られることを特徴とする、請求項１２６に記載のキャップ手段。
【請求項１２８】
前記少なくとも１つの部分（２１）は前記側壁（３１）と反対の更なる側壁（３０）を備えることを特徴とする、請求項１２７に記載のキャップ手段。
【請求項１２９】
前記側壁（３１）は、前記意図した回転方向（Ｎ）に沿って前記更なる側壁（３０）に先行するように設置されることを特徴とする、請求項１２８に記載のキャップ手段。
【請求項１３０】
請求項１１５〜１２９のいずれか１項に記載のキャップ手段であって、更に前記開口表示手段（６）を前記キャップ手段の本体（８）へ接続するように配置される複数の破断可能な要素（１３）を備え、前記少なくとも１つの更なる部分（２１）は前記複数の破断可能な要素の２つの隣接する破断可能な要素（１３）の間に介在するキャップ手段。
【請求項１３１】
前記開口表示手段（６）の外縁部（１５）に沿って伸び、容器手段の首部（２）と結合する隣接手段（５）と相互作用するように配置されるフラップ手段（１６）を備える開口表示手段（６）を備えるキャップ手段であって、前記フラップ手段（１６）は前記外縁部（１５）に沿って互いに平行な少なくとも１つの部分（２０；２２）と少なくとも１つの更なる部分（２１）を備え、前記外縁部（１５）を横に測定した前記少なくとも１つの更なる部分（２１）の寸法（Ｆ）は前記外縁部（１５）を横に測定した前記少なくとも１つの部分（２０）の対応する更なる寸法（Ｃ；Ｑ）より大きく、前記少なくとも１つの部分（２１）は前記少なくとも１つの部分（２０；２２）の更なる厚さと異なる厚さを有するキャップ手段。
【請求項１３２】
前記厚さは前記外縁部（１５）から離れるほど増加することを特徴とする、請求項１３１に記載のキャップ手段。
【請求項１３３】
前記厚さは前記更なる厚さより大きいことを特徴とする、請求項１３１又は１３２に記載のキャップ手段。
【請求項１３４】
前記更なる厚さはほぼ一定であることを特徴とする、請求項１３１〜１３３のいずれか１項に記載のキャップ手段。
【請求項１３５】
前記少なくとも１つの更なる部分（２１）は前記少なくとも１つの部分（２０；２２）に対して１つの側面から突出するような形状であることを特徴とする、請求項１３１〜１３４のいずれか１項に記載のキャップ手段。
【請求項１３６】
前記少なくとも１つの更なる部分（２１）は前記少なくとも１つの部分（２０；２２）に対して、前記側面と反対の更なる側面から突出するような形状であることを特徴とする、請求項１３５に記載のキャップ手段。
【請求項１３７】
前記フラップ手段（１６）は、前記キャップ手段（３）が前記首部（２）上にねじ込まれる意図した回転方向（Ｎ）に、前記隣接（５）上での前記フラップ手段（１６）の滑動を容易にするように配置される密閉促進手段（３２、３４）を備えることを特徴とする、請求項１３１〜１３６のいずれか１項に記載のキャップ手段。
【請求項１３８】
前記密閉促進手段（３２；３４）は前記少なくとも１つの更なる部分（２１）上に得られる傾斜部分（３２）を備えることを特徴とする、請求項１３７に記載のキャップ手段。
【請求項１３９】
前記傾斜部分（３２）は前記外縁部（１５）に横に設置される前記少なくとも１つの更なる部分（２１）の側壁（３１）上に得られることを特徴とする、請求項１３８に記載のキャップ手段。
【請求項１４０】
前記少なくとも１つの更なる部分（２１）は前記側壁（３１）と反対の更なる側壁（３０）を備えることを特徴とする、請求項１３９に記載のキャップ手段。
【請求項１４１】
前記側壁（３１）は前記意図した回転方向（Ｎ）に沿って前記更なる側壁（３０）に先行するように設置されることを特徴とする、請求項１４０に記載のキャップ手段。
【請求項１４２】
前記密閉促進手段（３２、３４）は前記少なくとも１つの部分（２０）上に得られる更なる傾斜部分（３４）を備えることを特徴とする、請求項１３７〜１４１のいずれか１項に記載のキャップ手段。
【請求項１４３】
前記更なる傾斜部分（３４）は前記外縁部（１５）に横に設置される前記少なくとも１つの部分（２０）のまた更なる側壁（３３）上に得られることを特徴とする、請求項１４２に記載のキャップ手段。
【請求項１４４】
前記また更なる側壁（３３）は前記意図した回転方向（Ｎ）に沿って、前記少なくとも１つの更なる部分（２１）に先行するように設置されることを特徴とする、請求項１４３に記載のキャップ手段。
【請求項１４５】
前記少なくとも１つの部分（２２）は前記隣接手段（５）に対して前記少なくとも１つの部分（２２）を設置するように配置される設置手段（２９）を備えることを特徴とする、請求項１３１〜１４４のいずれか１項に記載のキャップ手段。
【請求項１４６】
前記設置手段は、前記少なくとも１つの部分（２２）に前記首部（２）に作られる取り出し口から最も遠い前記隣接手段（５）の領域（２４）と相互作用させるように配置される傾斜部（２９）を備えることを特徴とする、請求項１４５に記載のキャップ手段。
【請求項１４７】
前記傾斜手段（２９）は、前記領域（２４）と相互作用するように配置される前記少なくとも１つの部分（２２）の活性表面（２５）上に得られることを特徴とする、請求項１４６に記載のキャップ手段。
【請求項１４８】
前記傾斜手段（２９）は、前記キャップ手段（３）が前記首部（２）からねじ取られる意図した移動方向（Ｈ）に前記少なくとも１つの更なる部分（２１）に先行することを特徴とする、請求項１４６又は１４７に記載のキャップ手段。
【請求項１４９】
請求項１３１〜１４８のいずれか１項に記載のキャップ手段であって、更に前記開口表示手段（６）を前記キャップ手段の本体（８）へ接続するように配置される複数の破断可能な要素（１３）を備え、前記少なくとも１つの更なる部分（２１）は前記複数の破断可能な要素の２つの隣接する破断可能な要素（１３）の間に介在するキャップ手段。
【請求項１５０】
前記開口表示手段（６）の外縁部（１５）に沿って伸び、容器手段の首部（２）と結合する隣接手段（５）と相互作用するように配置されるフラップ手段（１６）を備える開口表示手段（６）を備えるキャップ手段であって、前記フラップ手段（１６）は少なくとも１つの第１部分（２０）と少なくとも１つの第２部分（２１）を備え、前記外縁部（１５）を横に測定した前記少なくとも１つの第２部分（２１）の寸法（Ｆ）は、前記外縁部（１５）を横に測定した前記少なくとも１つの第１部分（２０）の対応する更なる寸法（Ｃ）より大きく、前記フラップ手段（１６）は、前記キャップ手段（３）が前記首部（２）上にねじ込まれる意図した回転方向（Ｎ）に沿って前記隣接手段（５）上での前記フラップ手段（１６）の滑動を容易にするように配置される密閉促進手段（３２、３４）を備えるキャップ手段。
【請求項１５１】
前記密閉促進手段（３２、３４）は前記少なくとも１つの第２部分（２１）上に得られる傾斜部分（３２）を備えることを特徴とする、請求項１５０に記載するキャップ手段。
【請求項１５２】
前記傾斜部分（３２）は前記外縁部（１５）に横に設置される前記少なくとも１つの第２部分（２１）の側壁（３１）上に得られることを特徴とする、請求項１５１に記載のキャップ手段。
【請求項１５３】
前記少なくとも１つの第２部分（２１）は前記側壁（３１）と反対の更なる側壁（３０）を備えることを特徴とする、請求項１５２に記載のキャップ手段。
【請求項１５４】
前記側壁（３１）は前記意図した回転方向（Ｎ）に沿って前記更なる側壁（３０）に先行するように設置されることを特徴とする、請求項１５３に記載のキャップ手段。
【請求項１５５】
前記密閉促進手段（３２、３４）は前記少なくとも１つの第１部分（２０）上に得られる更なる傾斜部分（３４）を備えることを特徴とする、請求項１５０〜１５４のいずれか１項に記載のキャップ手段。
【請求項１５６】
前記更なる傾斜部分（３４）は前記外縁部（１５）に横に設置される前記少なくとも１つの第１部分（２０）のまた更なる側壁（３３）上に得られることを特徴とする、請求項１５５に記載のキャップ手段。
【請求項１５７】
前記また更なる側壁（３３）は前記意図した回転方向（Ｎ）に沿って前記少なくとも１つの第２部分（２１）に先行するように設置されることを特徴とする、請求項１５６に記載のキャップ手段。
【請求項１５８】
請求項１５０〜１５７のいずれか１項に記載のキャップ手段であって、更に前記開口表示手段（６）を前記キャップ手段の本体（８）へ接続するように配置される複数の破断可能な要素（１３）を備え、前記少なくとも１つの第２部分（２１）は前記複数の破断可能な要素の２つの隣接する破断可能な要素（１３）の間に介在するキャップ手段。
【請求項１５９】
前記開口表示手段（６）の外縁部（１５）に沿って伸び、容器手段の首部（２）と結合する隣接手段（５）と相互作用するように配置されるフラップ手段（１６）と、前記開口表示手段（６）を前記キャップ手段の本体（８）へ接続するように配置される複数の破断可能な要素（１３）とを備える開口表示手段（６）を備え、前記フラップ手段（１６）は前記外縁部（１５）に沿って互いに平行な、少なくとも１つの第１部分（２０）と少なくとも１つの第２部分（２１）を備えるキャップ手段であって、前記外縁部（１５）を横に測定した前記少なくとも１つの第２部分（２１）の寸法（Ｆ）は、前記外縁部（１５）を横に測定した前記少なくとも１つの第１部分（２０）の対応する更なる寸法（Ｃ）より大きく、前記少なくとも１つの第２部分（２１）は前記複数の破断可能な要素の２つの隣接する破断可能な要素（１３）の間に介在するキャップ手段。
【請求項１６０】
前記容器手段と結合可能なキャップ手段（３）が備えられるフラップ手段（１６）と相互作用するように配置される隣接手段（５）が伸びる首部（２）を備える容器手段であって、前記隣接手段（５）は複数の異なる隣接要素（５）を備え、前記複数の隣接要素（５）の２つの連続する隣接要素（５）の間に、前記フラップ手段（１６）を受容するように配置される空間手段（１７）が備えられ、前記容器手段は、更に前記首部（２）から、そして更に前記隣接手段（５）ではなく、前記容器手段の開口から伸びる突起手段（１８）を備える容器手段。
【請求項１６１】
前記突起手段（１８）は前記隣接手段（５）に接近して設置されることを特徴とする、請求項１６0に記載の容器。
【請求項１６２】
前記突起手段（１８）は複数の分離した突起要素を備えることを特徴とする、請求項１６0又は１６１に記載の容器手段。
【請求項１６３】
前記突起要素は前記空間手段（１７）に設置されることを特徴とする、請求項１６２に記載の容器手段。
【請求項１６４】
請求項１〜１０のいずれか１項に記載の容器手段と、請求項７５〜９７のいずれか１項に記載の、そして／または請求項９８〜１１４のいずれか１項に記載の、そして／または請求項１１５〜１３０のいずれか１項に記載の、そして／または請求項１３１〜１４９のいずれか１項に記載の、そして／または請求項１５０〜１５８のいずれか１項に記載の、そして／または請求項１５９に記載のキャップ手段との組み合わせ。
【国際調査報告】
2009524555.tif 000025
2009524555.tif 000026
2009524555.tif 000027
2009524555.tif 000028
2009524555.tif 000029